(57)【要約】  無線通信システムにおけるＳＲＢ（ｓｉｇｎａｌｉｎｇ  ｒａｄｉｏ  ｂｅａｒｅｒ）のタイプを指示する情報を受信する方法及び装置が提供される。端末（ＵＥ；ｕｓｅｒ  ｅｑｕｉｐｍｅｎｔ）は、第１のＲＲＣ（ｒａｄｉｏ  ｒｅｓｏｕｒｃｅ  ｃｏｎｔｒｏｌ）メッセージの対応メッセージである第２のＲＲＣメッセージが送信される前記ＳＲＢのタイプを指示する情報を含む前記第１のＲＲＣメッセージを受信し、前記第２のＲＲＣメッセージを前記ＳＲＢのタイプを指示する情報により指示されるタイプのＳＲＢを通じて送信する。これによって、一つのＲＲＣ手続で第１メッセージが受信されるベアラのタイプと第２メッセージが送信されるベアラのタイプが同一であるまたは互いに異なることができる。【選択図】図９
2020511889.tif 000002
【特許請求の範囲】
【請求項１】
無線通信システムにおける端末（ＵＥ；ｕｓｅｒ  ｅｑｕｉｐｍｅｎｔ）によるＳＲＢ（ｓｉｇｎａｌｉｎｇ  ｒａｄｉｏ  ｂｅａｒｅｒ）のタイプを指示する情報を受信する方法において、
第１のＲＲＣ（ｒａｄｉｏ  ｒｅｓｏｕｒｃｅ  ｃｏｎｔｒｏｌ）メッセージの対応メッセージである第２のＲＲＣメッセージが送信される前記ＳＲＢのタイプを指示する情報を含む前記第１のＲＲＣメッセージを受信することと、
前記第２のＲＲＣメッセージを前記ＳＲＢのタイプを指示する情報により指示されるタイプのＳＲＢを通じて送信することと、を含む、方法。
【請求項２】
前記ＳＲＢのタイプは、ＭＣＧ（ｍａｓｔｅｒ  ｃｅｌｌ  ｇｒｏｕｐ）ＳＲＢ、ＳＣＧ（ｓｅｃｏｎｄａｒｙ  ｃｅｌｌ  ｇｒｏｕｐ）ＳＲＢ、分離ＳＲＢ、前記分離ＳＲＢのＭＣＧ送信または前記分離ＳＲＢのＳＣＧ送信のうち、いずれか一つであることを特徴とする、請求項１に記載の方法。
【請求項３】
前記ＳＲＢのタイプが前記ＭＣＧ  ＳＲＢまたは前記分離ＳＲＢのＭＣＧ送信のうち、いずれか一つである時、前記第２のＲＲＣメッセージは、デュアルコネクティビティ（ｄｕａｌ  ｃｏｎｎｅｃｔｉｖｉｔｙ）のマスターノード（ＭＮ；ｍａｓｔｅｒ  ｎｏｄｅ）のみに送信されることを特徴とする、請求項２に記載の方法。
【請求項４】
前記ＳＲＢのタイプが前記ＳＣＧ  ＳＲＢまたは前記分離ＳＲＢのＳＣＧ送信のうち、いずれか一つである時、前記第２のＲＲＣメッセージは、デュアルコネクティビティのセコンダリーノード（ＳＮ；ｓｅｃｏｎｄａｒｙ  ｎｏｄｅ）のみに送信されることを特徴とする、請求項２に記載の方法。
【請求項５】
前記ＳＲＢのタイプが前記分離ＳＲＢの時、前記第２のＲＲＣメッセージは、デュアルコネクティビティのＭＮまたはＳＮのうち、少なくとも一つに送信されることを特徴とする、請求項２に記載の方法。
【請求項６】
前記第１のＲＲＣメッセージは、前記ＭＣＧ  ＳＲＢ、前記ＳＣＧ  ＳＲＢ、前記分離ＳＲＢ、前記分離ＳＲＢのＭＣＧ送信または前記分離ＳＲＢのＳＣＧ送信のうち、一つのＳＲＢのタイプを通じて受信されることを特徴とする、請求項２に記載の方法。
【請求項７】
前記第１のＲＲＣメッセージが受信されるＳＲＢのタイプと前記第２のＲＲＣメッセージが送信されるＳＲＢタイプは、互いに同一であるまたは異なることを特徴とする、請求項６に記載の方法。
【請求項８】
前記第１のＲＲＣメッセージは、ＵＥ専用シグナリングまたはシステム情報を通じて受信されることを特徴とする、請求項１に記載の方法。
【請求項９】
前記第１のＲＲＣメッセージを受信する前に第３のＲＲＣメッセージを送信することをさらに含み、
前記第３のＲＲＣメッセージは、前記第１のＲＲＣメッセージが受信されるＳＲＢのタイプを指示する情報を含むことを特徴とする、請求項１に記載の方法。
【請求項１０】
前記第３のＲＲＣメッセージは、前記ＭＣＧ  ＳＲＢ、前記ＳＣＧ  ＳＲＢ、前記分離ＳＲＢ、前記分離ＳＲＢのＭＣＧ送信または前記分離ＳＲＢのＳＣＧ送信のうち、一つのＳＲＢのタイプを通じて送信されることを特徴とする、請求項９に記載の方法。
【請求項１１】
前記第３のＲＲＣメッセージが送信されるＳＲＢのタイプと前記第１のＲＲＣメッセージが受信されるＳＲＢタイプは、互いに同一であるまたは異なることを特徴とする、請求項１０に記載の方法。
【請求項１２】
前記第１のＲＲＣメッセージは、ＳＮの付加を指示するＲＲＣ接続再構成メッセージであり、
前記第２のＲＲＣメッセージは、ＳＮの付加の完了を指示するＲＲＣ接続再構成完了メッセージであることを特徴とする、請求項１に記載の方法。
【請求項１３】
前記ＲＲＣ接続再構成メッセージは、付加されるＳＣＧ（ｓｅｃｏｎｄａｒｙ  ｃｅｌｌ  ｇｒｏｕｐ）のセルのＩＤ（ｉｄｅｎｔｉｆｉｅｒ）、前記付加されるＳＣＧセルへのランダムアクセス手続の構成または前記ランダムアクセス手続で使われる一つ以上のビーム関連情報を含むことを特徴とする、請求項１２に記載の方法。
【請求項１４】
前記ＲＲＣ接続再構成完了メッセージは、付加されるＳＣＧのセルの測定結果を含むことを特徴とする、請求項１２に記載の方法。
【請求項１５】
無線通信システムにおける端末（ＵＥ；ｕｓｅｒ  ｅｑｕｉｐｍｅｎｔ）において、
メモリと、
送受信部と、
前記メモリ及び前記送受信部と接続されるプロセッサと、を含み、
前記プロセッサは、
第１のＲＲＣ（ｒａｄｉｏ  ｒｅｓｏｕｒｃｅ  ｃｏｎｔｒｏｌ）メッセージの対応メッセージである第２のＲＲＣメッセージが送信されるＳＲＢ（ｓｉｇｎａｌｉｎｇ  ｒａｄｉｏ  ｂｅａｒｅｒ）のタイプを指示する情報を含む前記第１のＲＲＣメッセージを受信するように前記送受信部を制御し、
前記第２のＲＲＣメッセージを前記ＳＲＢのタイプを指示する情報により指示されるタイプのＳＲＢを通じて送信するように前記送受信部を制御することを特徴とする、端末。
【発明の詳細な説明】
【技術分野】
【０００１】
本発明は無線通信に関し、より詳しくは、無線通信システムにおける次のメッセージのために使われるベアラのタイプを指示する方法及び装置に関する。
【背景技術】
【０００２】
３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）は、高速パケット通信を可能とするための技術である。ＬＴＥの目標であるユーザと事業者の費用節減、サービス品質向上、カバレッジ拡張及びシステム容量増大のために多くの方式が提案された。３ＧＰＰ  ＬＴＥは、上位レベルの必要条件として、ビット当たり費用節減、サービス有用性向上、周波数バンドの柔軟な使用、簡単な構造、開放型インターフェース及び端末の適切な電力消費を要求する。
【０００３】
ＩＴＵ（ｉｎｔｅｒｎａｔｉｏｎａｌ  ｔｅｌｅｃｏｍｍｕｎｉｃａｔｉｏｎ  ｕｎｉｏｎ）及び３ＧＰＰでＮＲ（ｎｅｗ  ｒａｄｉｏ  ａｃｃｅｓｓ  ｔｅｃｈｎｏｌｏｇｙ）システムに対する要求事項及び仕様を開発する作業が始まった。ＮＲシステムは、ｎｅｗ  ＲＡＴなどの他の名称で呼ばれることもある。３ＧＰＰは、緊急な市場の要求とＩＴＵ−Ｒ（ＩＴＵ  ｒａｄｉｏ  ｃｏｍｍｕｎｉｃａｔｉｏｎ  ｓｅｃｔｏｒ）ＩＭＴ（ｉｎｔｅｒｎａｔｉｏｎａｌ  ｍｏｂｉｌｅ  ｔｅｌｅｃｏｍｍｕｎｉｃａｔｉｏｎｓ）−２０２０プロセスが提示するより長期的な要求事項を全て適時に満たすＮＲを成功裏に標準化するために必要な技術構成要素を識別して開発しなければならない。また、ＮＲは、遠い未来にも無線通信のために利用されることができる少なくとも１００ＧＨｚに達する任意のスペクトラム帯域が使用可能でなければならない。
【０００４】
ＮＲは、ｅＭＢＢ（ｅｎｈａｎｃｅｄ  ｍｏｂｉｌｅ  ｂｒｏａｄｂａｎｄ）、ｍＭＴＣ（ｍａｓｓｉｖｅ  ｍａｃｈｉｎｅ−ｔｙｐｅ−ｃｏｍｍｕｎｉｃａｔｉｏｎｓ）、ＵＲＬＬＣ（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ）などを含む全ての配置シナリオ、使用シナリオ、要求事項を扱う単一技術フレームワークを対象とする。ＮＲは、本質的に前方互換性があるべきである。
【０００５】
ＮＲを含む５Ｇコアネットワーク及び５Ｇ  ＲＡＮ（ｒａｄｉｏ  ａｃｃｅｓｓ  ｎｅｔｗｏｒｋ）のための新しいアーキテクチャによって、端末（ＵＥ；ｕｓｅｒ  ｅｑｕｉｐｍｅｎｔ）がスループット（ｔｈｒｏｕｇｈｐｕｔ）及びＵＥの経験の面でよりよくサービスできる。また、ＬＴＥ／ＮＲの堅いインターワーキング（ｔｉｇｈｔ  ｉｎｔｅｒｗｏｒｋｉｎｇ）も議論中である。ＬＴＥ／ＮＲの堅いインターワーキングによりＬＴＥのｅＮＢ（ｅＮｏｄｅＢ）とＮＲの新しいＲＡＮノード（例えば、ｇＮＢ）との間の協力が許容され、結果的にＵＥのスループットが向上できる。ＬＴＥのｅＮＢとＮＲのｇＮＢは個別的にリソースを管理することができる。具体的に、ＬＴＥ／ＮＲの堅いインターワーキングによってＵＥのスループットを向上させることができる二重／多重接続が使われることができ、またＵＥ移動性のためのシグナリングが単純化できる。
【発明の概要】
【発明が解決しようとする課題】
【０００６】
従来のＬＴＥでは一つのＲＲＣ（ｒａｄｉｏ  ｒｅｓｏｕｒｃｅ  ｃｏｎｔｒｏｌ）手続に属するメッセージはＵＥと一つのネットワークノードとの間でのみ交換された。しかしながら、ＬＴＥ／ＮＲのインターワーキングの場合、一つのＲＲＣ手続に属するメッセージがＵＥと二つ以上の互いに異なるネットワークノードの間で交換される必要がありうる。
【課題を解決するための手段】
【０００７】
一様態において、無線通信システムで端末（ＵＥ；ｕｓｅｒ  ｅｑｕｉｐｍｅｎｔ）によるＳＲＢ（ｓｉｇｎａｌｉｎｇ  ｒａｄｉｏ  ｂｅａｒｅｒ）のタイプを指示する情報を受信する方法が提供される。前記方法は第１のＲＲＣ（ｒａｄｉｏ  ｒｅｓｏｕｒｃｅ  ｃｏｎｔｒｏｌ）メッセージの対応メッセージである第２のＲＲＣメッセージが送信される前記ＳＲＢのタイプを指示する情報を含む前記第１のＲＲＣメッセージを受信することと、前記第２のＲＲＣメッセージを前記ＳＲＢのタイプを指示する情報により指示されるタイプのＳＲＢを通じて送信することと、を含む。
【０００８】
他の様態において、無線通信システムにおける端末（ＵＥ；ｕｓｅｒ  ｅｑｕｉｐｍｅｎｔ）が提供される。前記端末は、メモリと、送受信部と、前記メモリ及び前記送受信部と接続されるプロセッサと、を含み、前記プロセッサは、第１のＲＲＣ（ｒａｄｉｏ  ｒｅｓｏｕｒｃｅ  ｃｏｎｔｒｏｌ）メッセージの対応メッセージである第２のＲＲＣメッセージが送信されるＳＲＢ（ｓｉｇｎａｌｉｎｇ  ｒａｄｉｏ  ｂｅａｒｅｒ）のタイプを指示する情報を含む前記第１のＲＲＣメッセージを受信するように前記送受信部を制御し、前記第２のＲＲＣメッセージを前記ＳＲＢのタイプを指示する情報により指示されるタイプのＳＲＢを通じて送信するように前記送受信部を制御する。
【発明の効果】
【０００９】
一つのＲＲＣ手続で第１メッセージに対応する第２メッセージのために使われるベアラのタイプが効果的に指示できる。
【図面の簡単な説明】
【００１０】
【図１】３ＧＰＰ  ＬＴＥシステムの構造を示す。
【図２】ＬＴＥシステムのユーザプレーンプロトコルスタックのブロック図である。
【図３】ＬＴＥシステムの制御プレーンプロトコルスタックのブロック図である。
【図４】ＮＧ−ＲＡＮアーキテクチャを示す。
【図５】ＥＮ−ＤＣアーキテクチャを示す。
【図６】ＭＣＧを通じての分離ベアラを示す。
【図７】ＳＣＧを通じての分離ベアラを示す。
【図８】ＬＴＥのデュアルコネクティビティのためのＳｅＮＢ付加手続を示す。
【図９】本発明の一実施形態によってＵＥがＳＲＢのタイプを指示する情報を受信する方法を示す。
【図１０】本発明の一実施形態に従うＳＮ付加手続を示す。
【図１１】本発明の一実施形態に従うＳＮ解除手続を示す。
【図１２】本発明の一実施形態に従うＲＲＣ接続再確立手続を示す。
【図１３】本発明の実施形態が具現化される無線通信システムを示す。
【図１４】図１３で図示されたＵＥのプロセッサを示す。
【図１５】図１３で図示されたネットワークノードのプロセッサを示す。
【発明を実施するための形態】
【００１１】
以下、本発明は３ＧＰＰ（３ｒｄ  ｇｅｎｅｒａｔｉｏｎ  ｐａｒｔｎｅｒｓｈｉｐ  ｐｒｏｊｅｃｔ）またはＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）基盤の無線通信システムを中心として説明される。しかしながら、本発明はこれに制限されず、本発明は以下で説明する同一な特徴を有する他の無線通信システムにも適用できる。
【００１２】
図１は、３ＧＰＰ  ＬＴＥシステムの構造を示す。図１を参照すると、３ＧＰＰ  ＬＴＥ（ｌｏｎｇ−ｔｅｒｍ  ｅｖｏｌｕｔｉｏｎ）システム構造は、一つ以上のユーザ端末（ＵＥ；ｕｓｅｒ  ｅｑｕｉｐｍｅｎｔ）１０、Ｅ−ＵＴＲＡＮ（ｅｖｏｌｖｅｄ−ＵＭＴＳ  ｔｅｒｒｅｓｔｒｉａｌ  ｒａｄｉｏ  ａｃｃｅｓｓ  ｎｅｔｗｏｒｋ）及びＥＰＣ（ｅｖｏｌｖｅｄ  ｐａｃｋｅｔ  ｃｏｒｅ）を含む。ＵＥ１０は、ユーザにより動く通信装置である。ＵＥ１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）等、他の用語で呼ばれることもある。
【００１３】
Ｅ−ＵＴＲＡＮは、一つ以上のｅＮＢ（ｅｖｏｌｖｅｄ  ＮｏｄｅＢ）２０を含み、一つのセルに複数のＵＥが存在できる。ｅＮＢ２０は、制御プレーン（ｃｏｎｔｒｏｌ  ｐｌａｎｅ）とユーザプレーン（ｕｓｅｒ  ｐｌａｎｅ）の終端点をＵＥ１０に提供する。ｅＮＢ２０は、一般的にＵＥ１０と通信する固定局（ｆｉｘｅｄ  ｓｔａｔｉｏｎ）を意味し、ＢＳ（ｂａｓｅ  ｓｔａｔｉｏｎ）、アクセスポイント（ａｃｃｅｓｓ  ｐｏｉｎｔ）等、他の用語で呼ばれることもある。一つのｅＮＢ２０は、セル毎に配置されることができる。
【００１４】
以下、ダウンリンク（ＤＬ；ｄｏｗｎｌｉｎｋ）は、ｅＮＢ２０からＵＥ１０への通信を意味する。アップリンク（ＵＬ；ｕｐｌｉｎｋ）は、ＵＥ１０からｅＮＢ２０への通信を意味する。サイドリンク（ＳＬ；ｓｉｄｅｌｉｎｋ）は、ＵＥ１０間の通信を意味する。ＤＬにおいて、送信機はｅＮＢ２０の一部であり、受信機はＵＥ１０の一部である。ＵＬにおいて、送信機はＵＥ１０の一部であり、受信機はｅＮＢ２０の一部である。ＳＬにおいて、送信機と受信機はＵＥ１０の一部である。
【００１５】
ＥＰＣは、ＭＭＥ（ｍｏｂｉｌｉｔｙ  ｍａｎａｇｅｍｅｎｔ  ｅｎｔｉｔｙ）とＳ−ＧＷ（ｓｅｒｖｉｎｇ  ｇａｔｅｗａｙ）を含む。ＭＭＥ／Ｓ−ＧＷ３０は、ネットワークの終端に位置する。ＭＭＥ／Ｓ−ＧＷ３０は、ＵＥ１０のためのセッション及び移動性管理機能の終端点を提供する。説明の便宜のために、ＭＭＥ／Ｓ−ＧＷ３０は、“ゲートウェイ”で単純に表現し、これはＭＭＥ及びＳ−ＧＷを両方とも含むことができる。ＰＤＮ（ｐａｃｋｅｔ  ｄａｔａ  ｎｅｔｗｏｒｋ）ゲートウェイ（Ｐ−ＧＷ）は、外部ネットワークと接続されることができる。
【００１６】
ＭＭＥは、ｅＮＢ２０へのＮＡＳ（ｎｏｎ−ａｃｃｅｓｓ  ｓｔｒａｔｕｍ）シグナリング、ＮＡＳシグナリングセキュリティ、ＡＳ（ａｃｃｅｓｓ  ｓｔｒａｔｕｍ）セキュリティ制御、３ＧＰＰアクセスネットワーク間の移動性のためのｉｎｔｅｒ  ＣＮ（ｃｏｒｅ  ｎｅｔｗｏｒｋ）ノードシグナリング、アイドルモード端末到達可能性（ページング再送信の制御及び実行を含む）、トラッキング領域リスト管理（アイドルモード及び活性化モードであるＵＥのために）、Ｐ−ＧＷ及びＳ−ＧＷ選択、ＭＭＥ変更と共にハンドオーバのためのＭＭＥ選択、２Ｇまたは３Ｇ  ３ＧＰＰアクセスネットワークへのハンドオーバのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含むベアラ管理機能、ＰＷＳ（ｐｕｂｌｉｃ  ｗａｒｎｉｎｇ  ｓｙｓｔｅｍ：ＥＴＷＳ（ｅａｒｔｈｑｕａｋｅ  ａｎｄ  ｔｓｕｎａｍｉ  ｗａｒｎｉｎｇ  ｓｙｓｔｅｍ）及びＣＭＡＳ（ｃｏｍｍｅｒｃｉａｌ  ｍｏｂｉｌｅ  ａｌｅｒｔ  ｓｙｓｔｅｍ）を含む）メッセージ送信サポートなどの多様な機能を提供する。Ｓ−ＧＷホストは、ユーザ別基盤のパケットフィルタリング（例えば、深層パケット検査を介して）、合法的遮断、端末ＩＰ（ｉｎｔｅｒｎｅｔ  ｐｒｏｔｏｃｏｌ）アドレス割当、ＤＬで送信レベルパッキングマーキング、ＵＬ／ＤＬサービスレベル課金、ゲーティング及び等級強制、ＡＰＮ−ＡＭＢＲ（ａｃｃｅｓｓ  ｐｏｉｎｔ  ｎａｍｅ  ａｇｇｒｅｇａｔｅ  ｍａｘｉｍｕｍ  ｂｉｔ  ｒａｔｅ）に基づくＤＬ等級強制の各種機能を提供する。
【００１７】
ユーザトラフィック送信または制御トラフィック送信のためのインターフェースが使われることができる。ＵＥ１０とｅＮＢ２０は、Ｕｕインターフェースにより接続される。ＵＥ１０間は、ＰＣ５インターフェースにより接続される。ｅＮＢ２０間は、Ｘ２インターフェースにより接続される。隣接するｅＮＢ２０は、Ｘ２インターフェースによる網型ネットワーク構造を有することができる。ｅＮＢ２０とゲートウェイ３０は、Ｓ１インターフェースを介して接続される。
【００１８】
図２は、ＬＴＥシステムのユーザプレーンプロトコルスタックのブロック図である。図３は、ＬＴＥシステムの制御プレーンプロトコルスタックのブロック図である。ＵＥとＥ−ＵＴＲＡＮとの間の無線インターフェースプロトコルの階層は、通信システムで広く知られたＯＳＩ（ｏｐｅｎ  ｓｙｓｔｅｍ  ｉｎｔｅｒｃｏｎｎｅｃｔｉｏｎ）モデルの下位３層に基づいてＬ１（第１層）、Ｌ２（第２層）及びＬ３（第３層）に分けられる。
【００１９】
物理層（ＰＨＹ；ｐｈｙｓｉｃａｌ  ｌａｙｅｒ）は、Ｌ１に属する。物理層は、物理チャネルを介して上位層に情報送信サービスを提供する。物理層は、上位層であるＭＡＣ（ｍｅｄｉａ  ａｃｃｅｓｓ  ｃｏｎｔｒｏｌ）層とトランスポートチャネル（ｔｒａｎｓｐｏｒｔ  ｃｈａｎｎｅｌ）を介して接続される。物理チャネルは、トランスポートチャネルにマッピングされる。トランスポートチャネルを介してＭＡＣ層と物理層との間にデータが送信される。互いに異なる物理層間、即ち、送信機の物理層と受信機の物理層との間のデータは、物理チャネルを介して送信される。
【００２０】
ＭＡＣ層、ＲＬＣ（ｒａｄｉｏ  ｌｉｎｋ  ｃｏｎｔｒｏｌ）層及びＰＤＣＰ（ｐａｃｋｅｔ  ｄａｔａ  ｃｏｎｖｅｒｇｅｎｃｅ  ｐｒｏｔｏｃｏｌ）層は、Ｌ２に属する。ＭＡＣ層は、論理チャネル（ｌｏｇｉｃａｌ  ｃｈａｎｎｅｌ）を介して上位層であるＲＬＣ層にサービスを提供する。ＭＡＣ層は、論理チャネル上のデータ送信サービスを提供する。ＲＬＣ層は、信頼性のあるデータ送信をサポートする。一方、ＲＬＣ層の機能は、ＭＡＣ層内部の機能ブロックで具現化されることができ、このとき、ＲＬＣ層は、存在しないこともある。ＰＤＣＰ層は、相対的に帯域幅が小さい無線インターフェース上でＩＰｖ４またはＩＰｖ６のようなＩＰパケットを導入して送信されるデータが効率的に送信されるように不要な制御情報を減らすヘッダ圧縮機能を提供する。
【００２１】
ＲＲＣ（ｒａｄｉｏ  ｒｅｓｏｕｒｃｅ  ｃｏｎｔｒｏｌ）層は、Ｌ３に属する。Ｌ３の最も下段部分に位置するＲＲＣ層は、制御プレーンでのみ定義される。ＲＲＣ層は、ＲＢ（ｒａｄｉｏ  ｂｅａｒｅｒ）の設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャネル、トランスポートチャネル及び物理チャネルの制御を担当する。ＲＢは、ＵＥとＥ−ＵＴＲＡＮとの間のデータ送信のためにＬ２により提供されるサービスを意味する。
【００２２】
図２を参照すると、ＲＬＣ及びＭＡＣ層（ネットワーク側でｅＮＢで終了）は、スケジューリング、ＡＲＱ及びＨＡＲＱ（ｈｙｂｒｉｄ  ａｕｔｏｍａｔｉｃ  ｒｅｐｅａｔ  ｒｅｑｕｅｓｔ）のような機能を遂行することができる。ＰＤＣＰ層（ネットワーク側でｅＮＢで終了）は、ヘッダ圧縮、無欠性保護及び暗号化のようなユーザプレーン機能を遂行することができる。
【００２３】
図３を参照すると、ＲＬＣ／ＭＡＣ層（ネットワーク側でｅＮＢで終了）は、制御プレーンのために同じ機能を遂行することができる。ＲＲＣ層（ネットワーク側でｅＮＢで終了）は、放送、ページング、ＲＲＣ接続管理、ＲＢ制御、移動性機能及びＵＥ測定報告及び制御のような機能を遂行することができる。ＮＡＳ制御プロトコル（ネットワーク側でゲートウェイのＭＭＥで終了）は、ＳＡＥベアラ管理、認証、ＬＴＥ＿ＩＤＬＥ移動性管理、ＬＴＥ＿ＩＤＬＥでのページング開始及びゲートウェイとＵＥとの間のシグナリングのためのセキュリティ制御のような機能を遂行することができる。
【００２４】
物理チャネルは、無線リソースを介してＵＥの物理層とｅＮＢの物理層との間のシグナリング及びデータを送信する。物理チャネルは、時間領域で複数のサブフレームと周波数領域で複数の副搬送波とで構成される。１ｍｓである一つのサブフレームは、時間領域で複数のシンボルで構成される。該当サブフレームの特定のシンボル、例えば、サブフレームの最初のシンボルは、ＰＤＣＣＨのために使われることができる。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅｓ）のように動的に割り当てられたリソースを伝送することができる。
【００２５】
ＤＬトランスポートチャネルは、システム情報を送信するために使われるＢＣＨ（ｂｒｏａｄｃａｓｔ  ｃｈａｎｎｅｌ）、ＵＥをページングするために使われるＰＣＨ（ｐａｇｉｎｇ  ｃｈａｎｎｅｌ）、ユーザトラフィックまたは制御信号を送信するために使われるＤＬ−ＳＣＨ（ｄｏｗｎｌｉｎｋ  ｓｈａｒｅｄ  ｃｈａｎｎｅｌ）、マルチキャストまたは放送サービス送信のために使われるＭＣＨ（ｍｕｌｔｉｃａｓｔ  ｃｈａｎｎｅｌ）を含む。ＤＬ−ＳＣＨは、ＨＡＲＱ、変調、コーディング及び送信電力の変化による動的リンク適応及び動的／半静的リソース割当をサポートする。また、ＤＬ−ＳＣＨは、セル全体に放送及びビームフォーミングの使用を可能にすることができる。
【００２６】
ＵＬトランスポートチャネルは、一般的にセルへの初期接続のために使われるＲＡＣＨ（ｒａｎｄｏｍ  ａｃｃｅｓｓ  ｃｈａｎｎｅｌ）、ユーザトラフィックまたは制御信号を送信するために使われるＵＬ−ＳＣＨ（ｕｐｌｉｎｋ  ｓｈａｒｅｄ  ｃｈａｎｎｅｌ）を含む。ＵＬ−ＳＣＨは、ＨＡＲＱ及び送信電力及び潜在的な変調及びコーディングの変化による動的リンク適応をサポートする。また、ＵＬ−ＳＣＨは、ビームフォーミングの使用を可能にすることができる。
【００２７】
論理チャネルは、送信される情報の種類によって、制御プレーンの情報伝達のための制御チャネルとユーザプレーンの情報伝達のためのトラフィックチャネルとに分類される。即ち、論理チャネルタイプのセットは、ＭＡＣ層により提供される互いに異なるデータ送信サービスのために定義される。
【００２８】
制御チャネルは、制御プレーンの情報伝達のみのために使われる。ＭＡＣ層により提供される制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのＤＬチャネルである。ＰＣＣＨは、ページング情報の送信のためのＤＬチャネルであり、ネットワークがＵＥのセル単位の位置を知らない時に使われる。ＣＣＣＨは、ネットワークとＲＲＣ接続を有しないとき、ＵＥにより使われる。ＭＣＣＨは、ネットワークからＵＥにＭＢＭＳ（ｍｕｌｔｉｍｅｄｉａ  ｂｒｏａｄｃａｓｔ  ｍｕｌｔｉｃａｓｔ  ｓｅｒｖｉｃｅｓ）制御情報を送信するために使われる一対多のＤＬチャネルである。ＤＣＣＨは、ＵＥとネットワークとの間に専用制御情報送信のためにＲＲＣ接続を有するＵＥにより使われる一対一の双方向チャネルである。
【００２９】
トラフィックチャネルは、ユーザプレーンの情報伝達のみのために使われる。ＭＡＣ層により提供されるトラフィックチャネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは、一対一のチャネルで一つのＵＥのユーザ情報の送信のために使われ、ＵＬ及びＤＬの両方ともに存在できる。ＭＴＣＨは、ネットワークからＵＥにトラフィックデータを送信するための一対多のＤＬチャネルである。
【００３０】
論理チャネルとトランスポートチャネルとの間のＵＬ接続は、ＵＬ−ＳＣＨにマッピングされることができるＤＣＣＨ、ＵＬ−ＳＣＨにマッピングされることができるＤＴＣＨ及びＵＬ−ＳＣＨにマッピングされることができるＣＣＣＨを含む。論理チャネルとトランスポートチャネルとの間のＤＬ接続は、ＢＣＨまたはＤＬ−ＳＣＨにマッピングされることができるＢＣＣＨ、ＰＣＨにマッピングされることができるＰＣＣＨ、ＤＬ−ＳＣＨにマッピングされることができるＤＣＣＨ、ＤＬ−ＳＣＨにマッピングされることができるＤＴＣＨ、ＭＣＨにマッピングされることができるＭＣＣＨ及びＭＣＨにマッピングされることができるＭＴＣＨを含む。
【００３１】
ＲＲＣ状態は、ＵＥのＲＲＣ層がＥ−ＵＴＲＡＮのＲＲＣ層と論理的に接続されているかどうかを指示する。ＲＲＣ状態は、ＲＲＣ接続状態（ＲＲＣ＿ＣＯＮＮＥＣＴＥＤ）及びＲＲＣアイドル状態（ＲＲＣ＿ＩＤＬＥ）のように二つに分けられる。ＲＲＣ＿ＩＤＬＥで、ＵＥがＮＡＳにより設定されたＤＲＸ（ｄｉｓｃｏｎｔｉｎｕｏｕｓ  ｒｅｃｅｐｔｉｏｎ）を指定する間に、ＵＥは、システム情報及びページング情報の放送を受信することができる。そして、ＵＥは、トラッキング領域でＵＥを固有に指定するＩＤ（ｉｄｅｎｔｉｆｉｃａｔｉｏｎ）の割当を受け、ＰＬＭＮ（ｐｕｂｌｉｃ  ｌａｎｄ  ｍｏｂｉｌｅ  ｎｅｔｗｏｒｋ）選択及びセル再選択を実行することができる。また、ＲＲＣ＿ＩＤＬＥで、いかなるＲＲＣコンテキストもｅＮＢに格納されない。
【００３２】
ＲＲＣ＿ＣＯＮＮＥＣＴＥＤで、ＵＥは、Ｅ−ＵＴＲＡＮでＥ−ＵＴＲＡＮ  ＲＲＣ接続及びコンテキストを有し、ｅＮＢにデータを送信及び／またはｅＮＢからデータを受信することが可能である。また、ＵＥは、ｅＮＢにチャネル品質情報及びフィードバック情報を報告することができる。ＲＲＣ＿ＣＯＮＮＥＣＴＥＤで、Ｅ−ＵＴＲＡＮは、ＵＥが属するセルを知ることができる。したがって、ネットワークは、ＵＥにデータを送信及び／またはＵＥからデータを受信することができ、ＵＥの移動性（ハンドオーバ及びＮＡＣＣ（ｎｅｔｗｏｒｋ  ａｓｓｉｓｔｅｄ  ｃｅｌｌ  ｃｈａｎｇｅ）を介したＧＥＲＡＮ（ＧＳＭ  ＥＤＧＥ  ｒａｄｉｏ  ａｃｃｅｓｓ  ｎｅｔｗｏｒｋ）にｉｎｔｅｒ−ＲＡＴ（ｒａｄｉｏ  ａｃｃｅｓｓ  ｔｅｃｈｎｏｌｏｇｙ）セル変更指示）を制御することができ、隣接セルのためにセル測定を実行することができる。
【００３３】
ＲＲＣ＿ＩＤＬＥで、ＵＥは、ページングＤＲＸ周期を指定する。具体的に、ＵＥは、ＵＥ特定ページングＤＲＸ周期毎の特定ページング機会（ｐａｇｉｎｇ  ｏｃｃａｓｉｏｎ）にページング信号をモニタする。ページング機会は、ページング信号が送信される間の時間区間である。ＵＥは、自分のみのページング機会を有している。ページングメッセージは、同じトラッキング領域（ＴＡ；ｔｒａｃｋｉｎｇ  ａｒｅａ）に属する全てのセル上に送信される。ＵＥが一つのＴＡから他のＴＡに移動すると、ＵＥは、自分の位置をアップデートするためにネットワークにＴＡＵ（ｔｒａｃｋｉｎｇ  ａｒｅａ  ｕｐｄａｔｅ）メッセージを送信することができる。
【００３４】
５Ｇシステムは５Ｇ  ＡＮ（ａｃｃｅｓｓ  ｎｅｔｗｏｒｋ）、５Ｇ  ＣＮ（ｃｏｒｅ  ｎｅｔｗｏｒｋ）及びＵＥで構成された３ＧＰＰシステムである。５Ｇ  ＡＮは５Ｇ  ＣＮに接続される非３ＧＰＰ接続ネットワーク及び／又はＮＧ−ＲＡＮ（ｎｅｗ  ｇｅｎｅｒａｔｉｏｎ  ｒａｄｉｏ  ａｃｃｅｓｓ  ｎｅｔｗｏｒｋ）を含む接続ネットワークである。ＮＧ−ＲＡＮは５Ｇ  ＣＮに接続されるという共通の特性を有し、次のオプションのうちの一つ以上をサポートする無線接続ネットワークである。
【００３５】
１）独立型ＮＲ（ｎｅｗ  ｒａｄｉｏ）。
【００３６】
２）ＮＲはＥ−ＵＴＲＡ拡張を有するアンカーである。
【００３７】
３）独立型Ｅ−ＵＴＲＡ。
【００３８】
４）Ｅ−ＵＴＲＡはＮＲ拡張を有するアンカーである。
【００３９】
図４は、ＮＧ−ＲＡＮアーキテクチャを示す。図４を参照すると、ＮＧ−ＲＡＮは一つ以上のＮＧ−ＲＡＮノードを含む。ＮＧ−ＲＡＮノードは一つ以上のｇＮＢ及び／又は一つ以上のｎｇ−ｅＮＢを含む。ｇＮＢは、ＵＥに向かってＮＲユーザプレーン及び制御プレーンプロトコル終端を提供する。ｎｇ−ｅＮＢは、ＵＥに向かってＥ−ＵＴＲＡユーザプレーン及び制御プレーンプロトコル終端を提供する。ｇＮＢとｎｇ−ｅＮＢは、Ｘｎインターフェースを介して相互接続される。ｇＮＢ及びｎｇ−ｅＮＢは、ＮＧインターフェースを介して５Ｇ  ＣＮに接続される。より具体的に、ｇＮＢ及びｎｇ−ｅＮＢはＮＧ−Ｃインターフェースを介してＡＭＦ（ａｃｃｅｓｓ  ａｎｄ  ｍｏｂｉｌｉｔｙ  ｍａｎａｇｅｍｅｎｔ  ｆｕｎｃｔｉｏｎ）に接続され、ＮＧ−Ｕインターフェースを介してＵＰＦ（ｕｓｅｒ  ｐｌａｎｅ  ｆｕｎｃｔｉｏｎ）に接続される。
【００４０】
ｇＮＢ及びｎｇ−ｅＮＢは、次の機能を提供する。
【００４１】
−  無線リソース管理のための機能：無線ベアラ制御、無線許容制御、接続移動制御、アップリンク及びダウンリンクでＵＥに対するリソースの動的割当（スケジューリング）；
【００４２】
−  データのＩＰ（Ｉｎｔｅｒｎｅｔ  ｐｒｏｔｏｃｏｌ）ヘッダ圧縮、暗号化及び無欠性保護；
【００４３】
−  ＵＥにより提供された情報からＡＭＦへのルーティングが決定できない時、ＵＥ付着時、ＡＭＦの選択；
【００４４】
−  ＵＰＦに向かってユーザプレーンデータをルーティング；
【００４５】
−  ＡＭＦに向かって制御プレーン情報のルーティング；
【００４６】
−  接続設定及び解除；
【００４７】
−  （ＡＭＦから始まる）ページングメッセージのスケジューリング及び送信；
【００４８】
−  （ＡＭＦまたはＯ＆Ｍ（ｏｐｅｒａｔｉｏｎｓ  ＆  ｍａｉｎｔｅｎａｎｃｅ）から始まる）システム放送情報のスケジューリング及び送信；
【００４９】
−  移動性及びスケジューリングのための測定及び測定報告構成；
【００５０】
−  アップリンクでの送信レベルパケットマーキング；
【００５１】
−  セッション管理；
【００５２】
−  ネットワークスライシングサポート；
【００５３】
−  ＱｏＳ（ｑｕａｌｉｔｙ  ｏｆ  ｓｅｒｖｉｃｅ）フロー管理及びデータ無線ベアラへのマッピング；
【００５４】
−  ＲＲＣ＿ＩＮＡＣＴＩＶＥ状態にいるＵＥのサポート；
【００５５】
−  ＮＡＳ（ｎｏｎ−ａｃｃｅｓｓ  ｓｔｒａｔｕｍ）メッセージの配布機能；
【００５６】
−  無線接続ネットワーク共有；
【００５７】
−  デュアルコネクティビティ；
【００５８】
−  ＮＲとＥ−ＵＴＲＡとの間の緊密な連動。
【００５９】
ＡＭＦは、次の主要機能を提供する。
【００６０】
−  ＮＡＳ信号終端；
【００６１】
−  ＮＡＳ信号セキュリティ；
【００６２】
−  ＡＳセキュリティ統制；
【００６３】
−  ３ＧＰＰアクセスネットワーク間の移動性のためのインターＣＮノードシグナリング；
【００６４】
−  アイドルモードＵＥ到達可能性（ページング再送信の制御及び実行を含む）；
【００６５】
−  登録領域管理；
【００６６】
−  システム内及びシステム間移動性サポート；
【００６７】
−  アクセス認証；
【００６８】
−  ローミング権限確認を含んだアクセス権限附与；
【００６９】
−  移動性管理制御（加入及びポリシー）；
【００７０】
−  ネットワークスライシングサポート；
【００７１】
−  ＳＭＦ（ｓｅｓｓｉｏｎ  ｍａｎａｇｅｍｅｎｔ  ｆｕｎｃｔｉｏｎ）選択。
【００７２】
ＵＰＦは、次の主要機能を提供する。
【００７３】
−  イントラ／インターＲＡＴ移動性のためのアンカーポイント（適用可能な場合）；
【００７４】
−  データネットワークに対する相互接続の外部ＰＤＵ（ｐｒｏｔｏｃｏｌ  ｄａｔａ  ｕｎｉｔ）セッションポイント；
【００７５】
−  パケットルーティング及びフォワーディング；
【００７６】
−  パケット検査及びポリシー規則執行のユーザプレーン部分；
【００７７】
−  トラフィック使用報告；
【００７８】
−  データネットワークにトラフィックフロールーティングをサポートするアップリンク分類；
【００７９】
−  マルチホームＰＤＵセッションをサポートするための地点；
【００８０】
−  ユーザプレーンに対するＱｏＳ処理（例えば、パケットフィルタリング、ゲーティング、ＵＬ／ＤＬ料金執行）；
【００８１】
−  アップリンクトラフィック検証（ＳＤＦ（ｓｅｒｖｉｃｅ  ｄａｔａ  ｆｌｏｗ）でＱｏＳフローマッピング）；
【００８２】
−  ダウンリンクパケットバッファリング及びダウンリンクデータ通知トリガー。
【００８３】
ＳＭＦは、次の主要機能を提供する。
【００８４】
−  セッション管理；
【００８５】
−  ＵＥ  ＩＰアドレス割当及び管理；
【００８６】
−  ユーザプレーン機能の選択及び制御；
【００８７】
−  トラフィックを適切な対象にルーティングするためにＵＰＦでトラフィック転換構成；
【００８８】
−  ポリシー執行及びＱｏＳの制御プレーン部分；
【００８９】
−  ダウンリンクデータ通知。
【００９０】
以下、マルチＲＡＴデュアルコネクティビティ（ｍｕｌｔｉ−ＲＡＴ  ｄｕａｌ  ｃｏｎｎｅｃｔｉｖｉｔｙ）に対して説明する。ＮＧ−ＲＡＮは複数のＲＸ／ＴＸを有するＲＲＣ＿ＣＯＮＮＥＣＴＥＤ内のＵＥが二つの別個のスケジューラにより提供された無線リソースを利用するように構成されるマルチＲＡＴデュアルコネクティビティをサポートする。マルチＲＡＴデュアルコネクティビティはＥ−ＵＴＲＡデュアルコネクティビティの一般化である。二つの別個のスケジューラは非理想的なバックホールを通じて接続された二つの互いに異なるＮＧ−ＲＡＮノードに位置する。二つの互いに異なるＮＧ−ＲＡＮノードのうちの一つはマスターノード（ＭＮ；ｍａｓｔｅｒ  ｎｏｄｅ）の役割をし、残りの一つはセコンダリーノード（ＳＮ；ｓｅｃｏｎｄａｒｙ  ｎｏｄｅ）の役割をする。即ち、一つのスケジューラはＭＮに位置し、他の一つのスケジューラはＳＮに位置する。二つの互いに異なるＮＧ−ＲＡＮノードはＥ−ＵＴＲＡ接続（ＮＧ−ＲＡＮノードがｎｇ−ｅＮＢである場合）またはＮＲ接続（ＮＧ−ＲＡＮノードがｇＮＢである場合）のうち、いずれか一つを提供する。Ｅｎ−ｇＮＢはＵＥに向かってＮＲユーザプレーン及び制御プレーンプロトコル終端を提供し、ＥＮ−ＤＣ（Ｅ−ＵＴＲＡＮ−ＮＲ  ｄｕａｌ  ｃｏｎｎｅｃｔｉｖｉｔｙ）でＳＮとして動作するノードである。Ｎｇ−ｅＮＢはＵＥに向かってＥ−ＵＴＲＡユーザプレーン及び制御プレーンプロトコル終端を提供し、ＮＧインターフェースを介して５ＧＣに接続されるノードである。ＭＮとＳＮはネットワークインターフェースを介して互いに接続され、少なくともＭＮはコアネットワークに接続される。本明細書で、マルチＲＡＴデュアルコネクティビティは互いに異なるノード間の非理想的なバックホールに基づいて設計されたが、マルチＲＡＴデュアルコネクティビティは理想的なバックホールの場合にも使用できる。
【００９１】
図５は、ＥＮ−ＤＣアーキテクチャを示す。Ｅ−ＵＴＲＡＮは、ＵＥがＭＮとして動作する一つのｅＮＢ及びＳＮとして動作する一つのｅｎ−ｇＮＢに接続される、ＥＮ−ＤＣを通じてマルチＲＡＴデュアルコネクティビティをサポートする。ｅＮＢはＳ１インターフェースを介してＥＰＣに接続され、Ｘ２インターフェースを介してｅｎ−ｇＮＢに接続される。ｅｎ−ｇＮＢはＳ１−Ｕインターフェースを介してＥＰＣに接続されることができ、Ｘ２−Ｕインターフェースを介して他のｅｎ−ｇＮＢに接続できる。
【００９２】
５Ｇ  ＣＮもマルチＲＡＴデュアルコネクティビティをサポートする。ＮＧ−ＲＡＮは、ＵＥがＭＮとして動作する一つのｎｇ−ｅＮＢとＳＮとして動作する一つのｇＮＢに接続される、ＮＧ−ＲＡＮ  Ｅ−ＵＴＲＡ−ＮＲデュアルコネクティビティ（ＮＧＥＮ−ＤＣ）をサポートする。ｎｇ−ｅＮＢは５Ｇ  ＣＮに接続され、ｇＮＢはＸｎインターフェースを介してｎｇ−ｅＮＢに接続される。また、ＮＧ−ＲＡＮは、ＵＥがＭＮとして動作する一つのｇＮＢとＳＮとして動作する一つのｎｇ−ｅＮＢに接続される、ＮＲ−Ｅ−ＵＴＲＡデュアルコネクティビティ（ＮＥ−ＤＣ）をサポートする。ｇＮＢは５Ｇ  ＣＮに接続され、ｎｇ−ｅＮＢはＸｎインターフェースを介してｇＮＢに接続される。
【００９３】
ＬＴＥ／ＮＲのデュアルコネクティビティのために次の３種類のベアラタイプが考慮できる。
【００９４】
−ＭＣＧ（ｍａｓｔｅｒ  ｃｅｌｌ  ｇｒｏｕｐ）を通じての分離ベアラ：従来のＬＴＥのデュアルコネクティビティアーキテクチャのうち、オプション３Ｃと類似している。
【００９５】
−ＳＣＧ（ｓｅｃｏｎｄａｒｙ  ｃｅｌｌ  ｇｒｏｕｐ）ベアラ：従来のＬＴＥのデュアルコネクティビティアーキテクチャのうち、オプション１Ａと類似している。
【００９６】
−ＳＣＧを通じての分離ベアラ：ベアラの分離がセコンダリーノードで発生する。
【００９７】
図６は、ＭＣＧを通じての分離ベアラを示す。図６−（ａ）でマスターノードはｅＮＢ（即ち、ＭｅＮＢ（ｍａｓｔｅｒｅ  ＮＢ））、セコンダリーノードはｇＮＢ（即ち、ＳｇＮＢ）である。図６−（ａ）で、ＭｅＮＢ／ＳｇＮＢはＳ１−ＵまたはＮＧ−Ｕを通じてコアネットワークと接続される。ＭＣＧベアラは、ＭｅＮＢ側で新しいＬＴＥ  ＡＳ副層を経て構成される。ＭＣＧを通じての分離ベアラはＭｅＮＢ側で新しいＬＴＥ  ＡＳ副層を経てＰＤＣＰ層で分岐され、Ｘｘ／Ｘｎインターフェースを介してＳｇＮＢのＲＬＣ層に伝達される。図６−（ｂ）で、マスターノードはｇＮＢ（即ち、ＭｇＮＢ）、セコンダリーノードはｅＮＢ（即ち、ＳｅＮＢ（ｓｅｃｏｎｄａｒｙｅ  ＮＢ））である。図６−（ｂ）で、ＭｇＮＢ／ＳｅＮＢはＮＧ−Ｕを通じてコアネットワークと接続される。ＭＣＧベアラは、ＭｇＮＢ側で新しいＮＲ  ＡＳ副層を経て構成される。ＭＣＧを通じての分離ベアラはＭｇＮＢ側で新しいＮＲ  ＡＳ副層を経て、ＰＤＣＰ層で分岐され、Ｘｎインターフェースを介してＳｅＮＢのＲＬＣ層に伝達される。
【００９８】
図７は、ＳＣＧを通じての分離ベアラを示す。図７−（ａ）で、マスターノードはｅＮＢ（即ち、ＭｅＮＢ）、セコンダリーノードはｇＮＢ（即ち、ＳｇＮＢ）である。図７−（ａ）で、ＭｅＮＢ／ＳｇＮＢはＳ１−ＵまたはＮＧ−Ｕを通じてコアネットワークと接続される。ＭＣＧベアラは、ＭｅＮＢ側で新しいＬＴＥ  ＡＳ副層を経て構成される。ＳＣＧを通じての分離ベアラはＳｇＮＢ側で新しいＮＲ  ＡＳ副層を経て、ＰＤＣＰ層で分岐され、Ｘｘ／Ｘｎインターフェースを介してＭｅＮＢのＲＬＣ層に伝達される。図７−（ｂ）で、マスターノードはｇＮＢ（即ち、ＭｇＮＢ）、セコンダリーノードはｅＮＢ（即ち、ＳｅＮＢ）である。図７−（ｂ）でＭｇＮＢ／ＳｅＮＢはＮＧ−Ｕを通じてコアネットワークと接続される。ＭＣＧベアラはＭｇＮＢ側で新しいＮＲ  ＡＳ副層を経て構成される。ＳＣＧを通じての分離ベアラはＳｅＮＢ側で新しいＬＴＥ  ＡＳ副層を経て、ＰＤＣＰ層で分岐され、Ｘｎインターフェースを介してＭｇＮＢのＲＬＣ層に伝達される。
【００９９】
前記３種類のベアラタイプは、マスターノードがｇＮＢの時、ＳＣＧを通じての分離ベアラを除いては、接続されたコアネットワークに関わらずサポートできる。ベアラタイプの再構成と関連して、ＳＣＧベアラとＭＣＧベアラとの間の再構成、互いに異なる二つのセコンダリーノードの間のＳＣＧベアラの再構成、及びＭＣＧベアラとＭＣＧ分離ベアラとの間の再構成がサポートできる。
【０１００】
図８は、ＬＴＥのデュアルコネクティビティのためのＳｅＮＢ付加手続を示す。ＳｅＮＢ付加手続はＭｅＮＢにより開始され、ＳｅＮＢ側でＵＥコンテキストを確立することに使われる。ＳｅＮＢ付加手続により少なくともＳＣＧの最初のセル（ＰＳ  Ｃｅｌｌ；ｐｒｉｍａｒｙ  ｓｅｃｏｎｄａｒｙ  ｃｅｌｌ）が付加される。
【０１０１】
ステップＳ８０２で、ＭｅＮＢは特定のＥ−ＲＡＢ（Ｅ−ＵＴＲＡＮ  ｒａｄｉｏ  ａｃｃｅｓｓ  ｂｅａｒｅｒ）に対して無線リソースを割り当てることをＳｅＮＢに要求することに決定する。ＭｅＮＢは、Ｅ−ＲＡＢ特性（Ｅ−ＲＡＢパラメータ、ベアラタイプに対応するＴＮＬ（ｔｒａｎｓｐｏｒｔ  ｎｅｔｗｏｒｋ  ｌａｙｅｒ）アドレス情報）を指示することができる。追加で、ＭｅＮＢはＳｅＮＢによる再構成のための基礎に使われるＭＣＧの構成及びＵＥ能力調整のためのＵＥ能力の全体をＳＣＧ−ＣｏｎｆｉｇＩｎｆｏ内に指示する。しかしながら、ＳＣＧ−ＣｏｎｆｉｇＩｎｆｏはＳＣＧの構成を含まない。ＭｅＮＢは追加されるように要求されるＳＣＧセルに対する最新測定結果を提供することができる。ＳｅＮＢは要求を拒絶することができる。
【０１０２】
ＳｅＮＢのＲＲＭ（ｒａｄｉｏ  ｒｅｓｏｕｒｃｅ  ｍａｎａｇｅｍｅｎｔ）個体がリソース要求を許諾できれば、ステップＳ８０４で、ＳｅＮＢは無線リソースを割り当てて、またベアラオプションによって、送信ネットワークリソースを割り当てる。ＳｅＮＢは、ＳｅＮＢ無線リソース構成の同期化が遂行できるようにランダムアクセスをトリガーする。ＳｅＮＢは、ＳＣＧ−Ｃｏｎｆｉｇ内にＳＣＧの新しい無線リソースをＭｅＮＢに提供する。ＳＣＧベアラに対して、ＳｅＮＢは各Ｅ−ＲＡＢに対するＳ１  ＤＬ  ＴＮＬアドレス情報及びセキュリティアルゴリズムと共にＳＣＧの新しい無線リソースを提供する。分離ベアラに対して、ＳｅＮＢは各Ｅ−ＲＡＢに対するＸ２  ＤＬ  ＴＮＬアドレス情報と共にＳＣＧの新しい無線リソースを提供する。
【０１０３】
ＭｅＮＢが新しい構成を保証すれば、ステップＳ８０６でＭｅＮＢはＳＣＧ−ＣｏｎｆｉｇによってＳＣＧの新しい無線リソース構成を含むＲＲＣ接続再構成（ＲＲＣＣｏｎｎｅｃｔｉｏｎＲｅｃｏｎｆｉｇｕｒａｔｉｏｎ）メッセージをＵＥに送信する。
【０１０４】
ステップＳ８０８で、ＵＥは新しい構成を適用し、ＲＲＣ接続再構成完了（ＲＲＣＣｏｎｎｅｃｔｉｏｎＲｅｃｏｎｆｉｇｕｒａｔｉｏｎＣｏｍｐｌｅｔｅ）メッセージで応答する。ＵＥがＲＲＣ接続再構成メッセージに含まれる構成（または、その一部）に従えない場合、ＵＥは再構成失敗手続を遂行する。
【０１０５】
ステップＳ８１０で、ＭｅＮＢはＵＥが再構成手続を成功裏に完了したことをＳｅＮＢに知らせる。
【０１０６】
ステップＳ８１２で、ＵＥはＳｅＮＢのＰＳＣｅｌｌに向かって同期化を遂行する。ＵＥがＲＲＣ接続再構成完了メッセージを送信するステップ（Ｓ８０８）とＳＣＧに向かってランダムアクセス手続を遂行するステップ（Ｓ８１２）の順序は定義されない。ＲＲＣ接続再構成手続の成功裏の完了のためにＳＣＧに向かったランダムアクセス手続の成功が要求されるのではない。
【０１０７】
以後、ＳＣＧベアラに対して、また各Ｅ−ＲＡＢのベアラ特性によって、ＭｅＮＢはデュアルコネクティビティの活性化に従うサービス中断を最小化する動作（例えば、データフォワーディング、シーケンス番号状態伝達など）を遂行することができる。また、ＳＣＧベアラに対して、ＥＰＣに向かってユーザプレーン経路のアップデートが遂行できる。
【０１０８】
従来のＬＴＥでは一つのＲＲＣ手続に属するメッセージはＵＥと一つのネットワークノードとの間でのみ交換された。例えば、図８のＳｅＮＢ付加手続に図示されたように、ＲＲＣ接続再構成手続を構成するＲＲＣ接続再構成メッセージとこれに対する応答メッセージ／後続メッセージであるＲＲＣ接続再構成完了メッセージはＵＥとＭｅＮＢとの間でのみ交換される。即ち、ＵＥがＲＲＣ接続再構成メッセージをＭｅＮＢから受信して応答メッセージ／後続メッセージであるＲＲＣ接続再構成完了メッセージをＳｅＮＢに送信するか、またはＵＥがＲＲＣ接続再構成メッセージをＳｅＮＢから受信して応答メッセージ／後続メッセージであるＲＲＣ接続再構成完了メッセージをＭｅＮＢに送信できない。しかしながら、ＬＴＥ／ＮＲのインターワーキングの場合、一つのＲＲＣ手続に属するメッセージといっても、ＵＥが第１メッセージを第１ネットワークノードから受信し、応答メッセージ／後続メッセージである第２メッセージを第２ネットワークによりノードに送信する必要がありうる。より一般的に、第１メッセージの応答メッセージ／後続メッセージである第２メッセージが送信されるベアラのタイプを具体的に指示する方法が要求できる。
【０１０９】
前述した問題点を解決するために、本発明は一つのＲＲＣ手続で第１メッセージの応答メッセージ／後続メッセージである第２メッセージのために使われるベアラのタイプを指示する方法を提案する。本発明の一実施形態によれば、ネットワークノードは特定ＲＲＣ手続または特定ＲＲＣメッセージのために使われるＳＲＢ（ｓｉｇｎａｌｉｎｇ  ｒａｄｉｏ  ｂｅａｒｅｒ）のタイプをＵＥに指示することができる。前記ネットワークノードはｅＮＢ、ｇＮＢ、ｎｇ−ｅＮＢ、ｅｎ−ｇＮＢのうち、いずれか一つでありうる。前記ネットワークノードはＵＥ専用シグナリングまたはシステム情報を使用して特定ＲＲＣ手続または特定ＲＲＣメッセージのために使われるＳＲＢのタイプをＵＥに指示することができる。
【０１１０】
図９は、本発明の一実施形態によってＵＥがＳＲＢのタイプを指示する情報を受信する方法を示す。
【０１１１】
ステップＳ９０２で、ＵＥは第１のＲＲＣメッセージの対応メッセージである第２のＲＲＣメッセージが送信される前記ＳＲＢのタイプを指示する情報を含む前記第１のＲＲＣメッセージを受信する。ＳＲＢのタイプは次のものを含むことができる。
【０１１２】
−  ＭＣＧ  ＳＲＢ：ＵＥがＲＲＣメッセージをＭＣＧ送信を通じて送信することができるＳＲＢである。
【０１１３】
−  ＳＣＧ  ＳＲＢ：ＵＥがＲＲＣメッセージをＳＣＧ送信を通じて送信することができるＳＲＢである。
【０１１４】
−  分離ＳＲＢ：ＵＥがＲＲＣメッセージをＭＣＧ送信またはＳＣＧ送信またはＭＣＧ／ＳＣＧ送信全てを通じて送信することができるＳＲＢである。
【０１１５】
−  分離ＳＲＢのＭＣＧ送信：このＳＲＢタイプが指示される時、ＵＥはＲＲＣメッセージをＵＥにより中断される分離ＳＲＢのＳＣＧ送信を通じて送信できない。
【０１１６】
−  分離ＳＲＢのＳＣＧ送信：このＳＲＢタイプが指示される時、ＵＥはＲＲＣメッセージをＵＥにより中断される分離ＳＲＢのＭＣＧ送信を通じて送信できない。
【０１１７】
前記第１のＲＲＣメッセージは、前述したＳＲＢタイプのうち、いずれか一つを通じて受信できる。
【０１１８】
ステップＳ９０４で、ＵＥは前記第２のＲＲＣメッセージを前記ＳＲＢのタイプを指示する情報により指示されるタイプのＳＲＢを通じて送信する。
【０１１９】
本発明の一実施形態で、ＵＥはＲＲＣ手続の第１メッセージを一つのＳＲＢタイプを使用してネットワークノードから受信することができる。例えば、前記第１メッセージはＲＲＣ接続再構成メッセージまたはＲＲＣ接続設定（ＲＲＣＣｏｎｎｅｃｔｉｏｎＳｅｔｕｐ）メッセージでありうる。しかしながら、本発明はこのようなメッセージに制限されない。前記一つのＳＲＢタイプは、前述したＭＣＧ  ＳＲＢ、ＳＣＧ  ＳＲＢ、分離ＳＲＢ、分離ＳＲＢのＭＣＧ送信、分離ＳＲＢのＳＣＧ送信のうち、いずれか一つでありうる。前記第１メッセージがＳＲＢのタイプに関する情報を含むか、またはＳＲＢのタイプに関する情報がＵＥ専用シグナリングまたはシステム情報を通じて以前にＵＥに指示されれば、ＵＥは前記ＳＲＢのタイプに関する情報により指示されるタイプのＳＲＢを通じて前記ＲＲＣ手続の後続メッセージである第２メッセージを送信する。例えば、ＵＥはＲＲＣ接続再構成メッセージの後続メッセージであるＲＲＣ接続再構成完了メッセージを前記ＳＲＢのタイプに関する情報により指示されるタイプのＳＲＢを通じて送信することができる。また、ＵＥはＲＲＣ接続設定メッセージの後続メッセージであるＲＲＣ接続設定完了（ＲＲＣＣｏｎｎｅｃｔｉｏｎＳｅｔｕｐＣｏｍｐｌｅｔｅ）メッセージを前記ＳＲＢのタイプに関する情報により指示されるタイプのＳＲＢを通じて送信することができる。前記ＳＲＢのタイプに関する情報によって、第１メッセージが受信されるＳＲＢのタイプと第２メッセージが送信されるＳＲＢのタイプが互いに同一であるまたは異なることができる。即ち、前記ＳＲＢのタイプに関する情報によって、第１メッセージが受信されるネットワークノードと第２メッセージが送信されるネットワークノードが互いに同一であるまたは異なることができる。
【０１２０】
本発明の他の実施形態で、ＵＥはＲＲＣ手続の第１メッセージを一つのＳＲＢタイプを使用してネットワークノードに送信することができる。例えば、前記第１メッセージはＲＲＣ接続要求（ＲＲＣＣｏｎｎｅｃｔｉｏｎＲｅｑｕｅｓｔ）メッセージでありうる。しかしながら、本発明はこのようなメッセージに制限されない。前記一つのＳＲＢタイプは前述したＭＣＧ  ＳＲＢ、ＳＣＧ  ＳＲＢ、分離ＳＲＢ、分離ＳＲＢのＭＣＧ送信、分離ＳＲＢのＳＣＧ送信のうち、いずれか一つでありうる。前記第１メッセージがＳＲＢのタイプに関する情報を含めば、ＵＥは前記ＳＲＢのタイプに関する情報により指示されるタイプのＳＲＢを通じて前記ＲＲＣ手続の後続メッセージである第２メッセージを受信する。例えば、ＵＥはＲＲＣ接続要求メッセージの後続メッセージであるＲＲＣ接続設定メッセージを前記ＳＲＢのタイプに関する情報により指示されるタイプのＳＲＢを通じて受信することができる。前記ＳＲＢのタイプに関する情報によって、第１メッセージが送信されるＳＲＢのタイプと第２メッセージが受信されるＳＲＢのタイプが互いに同一であるまたは異なることができる。即ち、前記ＳＲＢのタイプに関する情報によって、第１メッセージが受信されるネットワークノードと第２メッセージが送信されるネットワークノードが互いに同一であるまたは異なることができる。
【０１２１】
追加して、前記第２メッセージがＳＲＢのタイプに関する情報を含むか、またはＳＲＢのタイプに関する情報がＵＥ専用シグナリングまたはシステム情報を通じて以前にＵＥに指示されれば、ＵＥは前記ＳＲＢのタイプに関する情報により指示されるタイプのＳＲＢを通じて前記ＲＲＣ手続の後続メッセージである第３メッセージを送信する。例えば、ＵＥはＲＲＣ接続設定メッセージの後続メッセージであるＲＲＣ接続設定完了メッセージを前記ＳＲＢのタイプに関する情報により指示されるタイプのＳＲＢを通じて送信することができる。前記ＳＲＢのタイプに関する情報によって、第２メッセージが受信されるＳＲＢのタイプと第３メッセージが送信されるＳＲＢのタイプが互いに同一であるまたは異なることができる。即ち、前記ＳＲＢのタイプに関する情報によって、第２メッセージが受信されるネットワークノードと第３メッセージが送信されるネットワークノードが互いに同一であるまたは異なることができる。
【０１２２】
以下、具体的な実施形態を挙げて本発明が提案するところを説明する。以下の実施形態は図９で説明された本発明の実施形態を具体的なＲＲＣ手続に適用したものである。
【０１２３】
１．実施形態１
【０１２４】
図８で前述したように、従来のＬＴＥのＳｅＮＢ付加手続で、ＵＥはＲＲＣ接続再構成メッセージを受信した以後にＳｅＮＢのＰＳＣｅｌｌに向かって同期化を遂行する。ＵＥがＲＲＣ接続再構成完了メッセージを送信するステップ（Ｓ８０８）とＳＣＧに向かってランダムアクセス手続を遂行するステップ（Ｓ８１２）の順序は定義されない。ＲＲＣ接続再構成手続の成功裏の完了のためにＳＣＧに向かったランダムアクセス手続の成功が要求されない。したがって、ＳＣＧに向かったランダムアクセス手続が失敗したが、ＲＲＣ接続再構成手続は成功裏に完了した場合、ネットワークはＳＣＧを解除しなければならない。これは、不必要なシグナリングオーバーヘッドの原因となることができる。
【０１２５】
これによって、本発明の実施形態１はＳＮの付加またはＳＮの修正に対して互いに異なるＳＲＢタイプを使用することを提案する。本発明の一実施形態によれば、ＵＥがＳＮの付加を指示するＳＮ付加メッセージ（例えば、ＲＲＣ接続再構成メッセージ）をＭＮから受信し、ＵＥはＳＮの付加の完了を指示するＳＮ付加完了メッセージ（例えば、ＲＲＣ接続再構成完了メッセージ）をＳＮに送信することができる。以下の説明でＳＮ付加手続を例示として説明したが、本発明はこれに制限されず、ＳＮ修正手続にも適用できる。即ち、以下の説明でＳＮの付加はＳＮの修正に代替できる。ＭＮからメッセージを受信して後続メッセージをＳＮに送信することは一例に過ぎず、本発明によって次の多様な組合せが可能である。
【０１２６】
（１）ＵＥはＭＣＧ  ＳＲＢを通じてＳＮ付加メッセージをＭＮから受信し、ＳＣＧ  ＳＲＢを通じてＳＮ付加完了メッセージをＳＮに送信することができる。
【０１２７】
（２）ＵＥはＭＣＧ  ＳＲＢを通じてＳＮ付加メッセージをＭＮから受信し、分離ＳＲＢのＭＣＧ送信を通じてＳＮ付加完了メッセージをＭＮに送信することができる。
【０１２８】
（３）ＵＥはＭＣＧ  ＳＲＢを通じてＳＮ付加メッセージをＭＮから受信し、分離ＳＲＢのＳＣＧ送信を通じてＳＮ付加完了メッセージをＳＮに送信することができる。
【０１２９】
（４）ＵＥは分離ＳＲＢのＭＣＧ送信を通じてＳＮ付加メッセージをＭＮから受信し、ＳＣＧ  ＳＲＢを通じてＳＮ付加完了メッセージをＳＮに送信することができる。
【０１３０】
（５）ＵＥは分離ＳＲＢのＭＣＧ送信を通じてＳＮ付加メッセージをＭＮから受信し、分離ＳＲＢのＭＣＧ送信を通じてＳＮ付加完了メッセージをＭＮに送信することができる。
【０１３１】
（６）ＵＥは分離ＳＲＢのＭＣＧ送信を通じてＳＮ付加メッセージをＭＮから受信し、分離ＳＲＢのＳＣＧ送信を通じてＳＮ付加完了メッセージをＳＮに送信することができる。
【０１３２】
ＳＮ付加メッセージはＳＮのために使われるＳＣＧセキュリティ構成を含むことができる。ＵＥはＳＮ付加完了メッセージが送信できるＳＣＧ  ＳＲＢに前記ＳＣＧセキュリティ構成を適用することができる。一方、ＵＥはＭＣＧ  ＳＲＢと分離ＳＲＢにＭＣＧセキュリティ構成を適用することができる。前記ＭＣＧセキュリティ構成はＳＮの付加の以前にＭＮにより構成できる。
【０１３３】
ＭＮはＬＴＥのｅＮＢであり、ＳＮはＮＲのｇＮＢでありうる。または、ＳＮはＬＴＥのｅＮＢであり、ＭＮはＮＲのｇＮＢでありうる。
【０１３４】
ＳＮ付加完了メッセージを送信する前にＭＮと接続された状態で、ＵＥはＳＮ付加メッセージにより指示されるＳＣＧセルと同期化を遂行し、ランダムアクセスプリアンブルを前記ＳＣＧセルに送信することができる。ＵＥが前記ランダムアクセスプリアンブルを指示するランダムアクセス応答を前記ＳＣＧセルから受信すれば、ＵＥはＳＮ付加完了メッセージをＳＮに送信することができる。
【０１３５】
ＭＮがＵＥにＳＮ付加メッセージを送信するために、ＳＮはＭＮにＳＮ付加要求メッセージを送信することができる。ＳＮ付加要求メッセージはＳＣＧセルのセルＩＤ、ＳＣＧセルで使われるランダムアクセスプリアンブルのようなランダムアクセス手続の構成及びランダムアクセス手続で使われる一つ以上のビームに関する情報（例えば、ＳＳ（ｓｙｎｃｈｒｏｎｉｚａｔｉｏｎ  ｓｉｇｎａｌ）ブロック、ＳＳブロックバースト）などを含むことができる。前記一つ以上のビームに関する情報はＵＥがランダムアクセスプリアンブルまたはＳＮ付加完了メッセージを送信する時、またはＵＥがランダムアクセス応答を受信する時、どんなビームが使われるかを指示する。
【０１３６】
ＭＮから受信されるＳＮ付加メッセージは、ＳＮがＭＮに送信するＳＮ付加要求メッセージの内容を含むことができる。即ち、ＳＮ付加メッセージはＳＣＧセルのセルＩＤ、ＳＣＧセルで使われるランダムアクセスプリアンブルのようなランダムアクセス手続の構成及びランダムアクセス手続で使われる一つ以上のビームに関する情報（例えば、ＳＳ（ｓｙｎｃｈｒｏｎｉｚａｔｉｏｎ  ｓｉｇｎａｌ）ブロック、ＳＳブロックバースト）などを含むことができる。また、ＳＮ付加メッセージはＳＮ付加完了メッセージを送信するために、どんなＳＲＢタイプ（即ち、ＭＣＧ  ＳＲＢ、ＳＣＧ  ＳＲＢ、または分離ＳＲＢのうち、いずれか一つ）が使われるかを指示する情報を含むことができる。
【０１３７】
図１０は、本発明の一実施形態に従うＳＮ付加手続を示す。
【０１３８】
ステップＳ１００２で、ＭＮは特定のＥ−ＲＡＢに対して無線リソースを割り当てることをＳＮに要求することに決定する。ＭＮは、Ｅ−ＲＡＢ特性（Ｅ−ＲＡＢパラメータ、ベアラタイプに対応するＴＮＬアドレス情報）を指示することができる。追加で、ＭＮはＳＮによる再構成のための基礎に使われるＭＣＧの構成及びＵＥ能力調整のための全体ＵＥ能力をＳＣＧ−ＣｏｎｆｉｇＩｎｆｏ内に指示する。しかしながら、ＳＣＧ−ＣｏｎｆｉｇＩｎｆｏはＳＣＧの構成を含まない。ＭＮは追加されるように要求されるＳＣＧセルに対する最新測定結果を提供することができる。ＳＮは要求を拒絶することができる。
【０１３９】
ＳＮのＲＲＭ個体がリソース要求を許諾できれば、ステップＳ１００４で、ＳＮは無線リソースを割り当てて、またベアラオプションによって、送信ネットワークリソースを割り当てる。ＳＮはＳＮ無線リソース構成の同期化が遂行できるようにランダムアクセスをトリガーする。ＳＮは、ＳＣＧ−Ｃｏｎｆｉｇ内にＳＣＧの新しい無線リソースをＭＮに提供する。ＳＣＧベアラに対して、ＳＮは各Ｅ−ＲＡＢに対するＳ１  ＤＬ  ＴＮＬアドレス情報及びセキュリティアルゴリズムと共にＳＣＧの新しい無線リソースを提供する。分離ベアラに対して、ＳＮは各Ｅ−ＲＡＢに対するＸ２  ＤＬ  ＴＮＬアドレス情報と共にＳＣＧの新しい無線リソースを提供する。
【０１４０】
ＭＮが新しい構成を保証すれば、ステップＳ１００６でＭＮはＳＣＧ−ＣｏｎｆｉｇによってＳＣＧの新しい無線リソース構成を含むＲＲＣ接続再構成メッセージをＭＣＧ  ＳＲＢ上でＵＥに送信する。ＲＲＣ接続再構成メッセージはＲＲＣ接続再構成完了メッセージを送信するためにどんなＳＲＢタイプ（即ち、ＭＣＧ  ＳＲＢ、ＳＣＧ  ＳＲＢ、または分離ＳＲＢのうち、いずれか一つ）が使われるかを指示する情報を含むことができる。また、ＲＲＣ接続再構成メッセージはＳＣＧで使われるＳＣＧセキュリティ構成を含むことができる。ＵＥは（ＳＣＧセキュリティ構成を含む）新しい構成を適用する。ＵＥがＲＲＣ接続再構成メッセージに含まれる構成（または、その一部）に従えない場合、ＵＥは再構成失敗手続を遂行する。
【０１４１】
ステップＳ１００８で、ＵＥはＳＮのＰＳＣｅｌｌに向かって同期化を遂行する。ＵＥはＲＲＣ接続再構成メッセージにより指示されるランダムアクセスプリアンブルを送信することによってＳＣＧに向かってランダムアクセス手続を遂行することができる。ＳＮがｇＮＢである場合、ＵＥはＲＲＣ接続再構成メッセージにより指示されるビームを使用してランダムアクセスプリアンブルを送信することができる。
【０１４２】
ステップＳ１０１０で、ＵＥは前記ランダムアクセスプリアンブルを指示するランダムアクセス応答を受信する。
【０１４３】
ステップＳ１０１２で、ＵＥはＲＲＣ接続再構成完了メッセージを送信する。ＵＥはランダムアクセス応答から受信したＵＬグラント及び／又はＲＲＣ接続再構成メッセージにより指示されるビームを使用してＲＲＣ接続再構成完了メッセージを送信することができる。ステップＳ１００６で受信したＲＲＣ接続再構成メッセージがＲＲＣ接続再構成完了メッセージを送信するために、どんなＳＲＢタイプ（即ち、ＭＣＧ  ＳＲＢ、ＳＣＧ  ＳＲＢ、または分離ＳＲＢのうち、いずれか一つ）が使われるかを指示する情報を含む場合、ＵＥは指示されるタイプのＳＲＢ上にＲＲＣ接続再構成完了メッセージを送信することができる。図１０ではＲＲＣ接続再構成完了メッセージがＳＮに送信されると仮定する。即ち、図１０ではＲＲＣ接続再構成完了メッセージはＳＣＧ  ＳＲＢまたは分離ＳＲＢのＳＣＧ送信を通じてＳＮに送信される。また、ＲＲＣ接続再構成完了メッセージは付加される潜在的なＳＣＧセルの測定結果を含むことができる。これによって、ＳＮは測定結果に基づいて新しいＳＣＧセルを速く付加することができる。
【０１４４】
ＵＥからＲＲＣ接続再構成完了メッセージを受信したＳＮは、ＵＥが再構成手続を成功裏に完了したことをＭＮに知らせることができる。
【０１４５】
以後、ＳＣＧベアラに対して、また各Ｅ−ＲＡＢのベアラ特性によって、ＭＮはデュアルコネクティビティの活性化に従うサービス中断を最小化する動作（例えば、データフォワーディング、シーケンス番号状態伝達など）を遂行することができる。また、ＳＣＧベアラに対して、ＥＰＣに向かってユーザプレーン経路のアップデートが遂行できる。
【０１４６】
２．実施形態２
【０１４７】
従来のＬＴＥのＳｅＮＢ解除手続で、ＳＣＧを解除するＲＲＣ接続再構成メッセージを受信した以後、ＵＥはＳＣＧ  ＳＲＢ解除を遂行し、ＲＲＣ接続再構成完了メッセージをＭＣＧに送信する。ＭＣＧはＵＥからＲＲＣ接続再構成完了メッセージを受信したにも関わらず、ＳＣＧにＳＣＧ解除の完了をまた確認することができる。これは不必要なシグナリングオーバーヘッドの原因となることができる。ＵＥがＲＲＣ接続再構成完了メッセージをＳＣＧに送信できれば、ＭＣＧはＳＣＧ解除の完了を指示するメッセージをＳＣＧに送信する必要がない。これによって、追加のシグナリングオーバーヘッドを防止することができる。
【０１４８】
これによって、本発明の実施形態２はＳＮ解除に対して互いに異なるＳＲＢタイプを使用することを提案する。本発明の一実施形態によれば、ＵＥがＳＮ解除を指示するＳＮ解除メッセージ（例えば、ＲＲＣ接続再構成メッセージ）をＭＮから受信し、ＵＥはＳＮ解除の完了を指示するＳＮ解除完了メッセージ（例えば、ＲＲＣ接続再構成完了メッセージ）をＳＮに送信することができる。即ち、ＵＥはＳＮ解除メッセージ（例えば、ＲＲＣ接続再構成メッセージ）をＭＣＧ  ＳＲＢまたは分離ＳＲＢを通じて受信し、ＳＮ解除完了メッセージ（例えば、ＲＲＣ接続再構成完了メッセージ）をＳＣＧ  ＳＲＢを通じて送信することができる。以下の説明でＳＮ解除手続を例示として説明したが、本発明はこれに制限されず、ＳＮ修正手続にも適用できる。即ち、以下の説明でＳＮの解除はＳＮの修正に代替できる。
【０１４９】
ＭＮはＬＴＥのｅＮＢであり、ＳＮはＮＲのｇＮＢでありうる。または、ＳＮはＬＴＥのｅＮＢであり、ＭＮはＮＲのｇＮＢでありうる。
【０１５０】
ＳＮ解除完了メッセージを送信する前にＭＮと接続された状態で、ＵＥはＳＮ解除メッセージにより指示されるＳＣＧセルを解除することができる。ＳＣＧとＵＥとの間に何らの無線の問題がなければ、ＵＥはＳＮ解除完了メッセージをＳＮに送信することができる。
【０１５１】
ＭＮがＵＥにＳＮ解除メッセージを送信するために、ＳＮはＭＮにＳＮ解除要求メッセージを送信することができる。ＳＮ解除要求メッセージはＳＣＧセルのセルＩＤ、ＳＣＧセルを解除するためのＲＢの構成などを含むことができる。
【０１５２】
ＭＮから受信されるＳＮ解除メッセージはＳＮ解除完了メッセージを送信するためにどんなＳＲＢタイプ（即ち、ＭＣＧ  ＳＲＢ、ＳＣＧ  ＳＲＢ、または分離ＳＲＢのうち、いずれか一つ）が使われるかを指示する情報を含むことができる。
【０１５３】
図１１は、本発明の一実施形態に従うＳＮ解除手続を示す。
【０１５４】
デュアルコネクティビティが構成された状態で、ステップＳ１１０２で、ＭＮは特定Ｅ−ＲＡＢに対して無線リソースを解除することをＳＮに要求することに決定する。ＭＮは解除されるように要求されるＳＣＧセルに対する最新測定結果を提供することができる。ＳＮは要求を拒絶しないことがある。
【０１５５】
ステップＳ１１０４で、ＳＮは無線リソースを解除する準備ができた。
【０１５６】
ステップＳ１１０６で、ＭＮは解除によってＳＣＧの無線リソース構成を含むＲＲＣ接続再構成メッセージをＭＣＧ  ＳＲＢ上でＵＥに送信する。ＲＲＣ接続再構成メッセージは、ＲＲＣ接続再構成完了メッセージを送信するためにどんなＳＲＢタイプ（即ち、ＭＣＧ  ＳＲＢ、ＳＣＧ  ＳＲＢ、または分離ＳＲＢのうち、いずれか一つ）が使われるかを指示する情報を含むことができる。
【０１５７】
ステップＳ１１０８で、ＵＥは解除構成を適用し、ＲＲＣ接続再構成完了メッセージで応答する。ステップＳ１１０６で受信したＲＲＣ接続再構成メッセージがＲＲＣ接続再構成完了メッセージを送信するためにどんなＳＲＢタイプ（即ち、ＭＣＧ  ＳＲＢ、ＳＣＧ  ＳＲＢ、または分離ＳＲＢのうち、いずれか一つ）が使われるかを指示する情報を含む場合、ＵＥは指示されるタイプのＳＲＢ上にＲＲＣ接続再構成完了メッセージを送信することができる。図１１ではＲＲＣ接続再構成完了メッセージがＳＮに送信されると仮定する。即ち、図１１ではＲＲＣ接続再構成完了メッセージはＳＣＧ  ＳＲＢまたは分離ＳＲＢのＳＣＧ送信を通じてＳＮに送信される。また、ＲＲＣ接続再構成完了メッセージは次に付加される潜在的なＳＣＧセルの測定結果を含むことができる。これによって、ＳＮは測定結果に基づいて新しいＳＣＧセルを速く付加することができる。ＵＥがＲＲＣ接続再構成メッセージに含まれる構成（または、その一部）に従えない場合、ＵＥは再構成失敗手続を遂行する。
【０１５８】
以後、ＳＣＧベアラに対して、また各Ｅ−ＲＡＢのベアラ特性によって、ＭＮはデュアルコネクティビティの活性化に従うサービス中断を最小化する動作（例えば、データフォワーディング、シーケンス番号状態伝達など）を遂行することができる。また、ＳＣＧベアラに対して、ＥＰＣに向かってユーザプレーン経路のアップデートが遂行できる。
【０１５９】
３．実施形態３
【０１６０】
従来のＬＴＥでは分離ＳＲＢがサポートされなかった。したがって、ＳＮ付加手続でＲＲＣ接続再構成完了メッセージは何時もＭＣＧ  ＳＲＢ上にＭＮとして送信された。しかしながら、ＮＲでＳＲＢ１及びＳＲＢ２に対して分離ＳＲＢがサポートできる。ＭＮはＳＮ付加手続で分離ＳＲＢを構成することができる。したがって、ＵＥは分離ＳＲＢの構成と共にＳＮを付加することに使われるＲＲＣ接続再構成メッセージを受信することができる。ＲＲＣ接続再構成メッセージを受信したＵＥは分離ＳＲＢを構成する必要がある。但し、ＵＥはＲＲＣ接続再構成メッセージに対応するＲＲＣ接続再構成完了メッセージがどのネットワークノードに送信されるべきかを知らない。
【０１６１】
これによって、本発明の実施形態３はＳＮ付加／修正／解除手続で分離ＳＲＢに対して互いに同一な送信方向を使用することを提案する。本発明の一実施形態によれば、ＵＥが特定の手続の第１メッセージを分離ＳＲＢの特定の送信方向上に受信すれば、ＵＥは前記第１メッセージの応答／後続メッセージである前記特定の手続の第２メッセージを分離ＳＲＢの前記同一な特定の送信方向のみに送信することができる。本発明の他の実施形態によれば、ＵＥが特定の手続の第１メッセージを分離ＳＲＢの特定の送信方向上に送信すれば、ＵＥは前記第１メッセージの応答／後続メッセージである前記特定の手続の第２メッセージを分離ＳＲＢの前記同一な特定の送信方向上のみにモニタ／受信することができる。本発明の更に他の実施形態によれば、ＵＥが特定の手続の第１メッセージを分離ＳＲＢの特定の送信方向上に受信すれば、ＵＥは前記第１メッセージの応答／後続メッセージである前記特定の手続の第２メッセージを前記第１メッセージにより指示される分離ＳＲＢの特定の送信方向上のみに送信することができる。前記分離ＳＲＢの特定の送信方向はＭＣＧ送信方向、ＳＣＧ送信方向、またはＭＣＧ／ＳＣＧ送信方向のうち、いずれか一つでありうる。
【０１６２】
ＳＮ付加手続で、本発明の一実施形態によれば、ＵＥのＲＲＣ層がＳＮ付加メッセージ（例えば、ＲＲＣ接続再構成メッセージ）をＭＮからＭＣＧ  ＳＲＢ上に受信し、ＳＮ付加メッセージが分離ＳＲＢを構成すれば、ＵＥのＲＲＣ層はＳＮ付加完了メッセージ（例えば、ＲＲＣ接続再構成完了メッセージ）をＭＣＧ  ＳＲＢ上にＵＥの下位層（例えば、ＰＤＣＰまたはＲＬＣ層）に送り、ＵＥ側で分離ＳＲＢを構成することができる。ＳＮ付加メッセージはＵＥ側でＳＣＧを付加するために使われる。ＭＣＧ  ＳＲＢはＭＮとＵＥとの間にただＭＣＧ上のみに確立されたＳＲＢである。分離ＳＲＢはＭＮとＵＥとの間にＭＣＧ及びＳＣＧ上に確立されたＳＲＢである。
【０１６３】
ＳＮ付加手続で本発明の更に他の実施形態によれば、ＵＥのＲＲＣ層がＳＮ付加メッセージ（例えば、ＲＲＣ接続再構成メッセージ）をＭＮから受信し、ＳＮ付加メッセージが分離ＳＲＢを構成すれば、ＵＥのＲＲＣ層はＵＥ側で分離ＳＲＢを構成し、分離ＳＲＢのＳＣＧ送信を中断し、ＳＮ付加完了メッセージ（例えば、ＲＲＣ接続再構成完了メッセージ）を分離ＳＲＢ上にＵＥの下位層（例えば、ＰＤＣＰまたはＲＬＣ層）に送ることができる。したがって、ＳＮ付加完了メッセージは分離ＳＲＢのＭＣＧ送信を通じて常にＭＮのみに送信される。ＳＮ付加完了メッセージが送信された後に、ＵＥは分離ＳＲＢのＳＣＧ送信を再開することができる。ＵＥのＲＲＣ／ＰＤＣＰ／ＲＬＣ層はＳＮ付加完了メッセージがＭＣＧ送信方向、ＳＣＧ送信方向、または分離ＳＲＢの２送信方向のうち、どの方向に送信されるかを決定することができる。
【０１６４】
ＳＮ解除手続で本発明の一実施形態によれば、ＵＥのＲＲＣ層がＳＮ解除メッセージ（例えば、ＲＲＣ接続再構成メッセージ）を受信すれば、ＵＥのＲＲＣ層はＳＮ解除完了メッセージ（例えば、ＲＲＣ接続再構成完了メッセージ）をＳＣＧ  ＳＲＢ上にＵＥの下位層（例えば、ＰＤＣＰまたはＲＬＣ層）に送り、ＵＥ側でＳＣＧ  ＳＲＢを解除または中断することができる。ＳＣＧ  ＳＲＢが中断される場合、ＵＥはＳＮ解除完了メッセージの送信の以後、ＳＣＧ  ＳＲＢを解除することができる。ＳＮ解除メッセージはＵＥ側でＳＣＧを解除するために使われる。ＳＣＧ  ＳＲＢはＳＮとＵＥとの間にただＳＣＧ上のみに確立されたＳＲＢである。
【０１６５】
ＳＮ解除手続で本発明の更に他の実施形態によれば、ＵＥのＲＲＣ層がＳＮ解除メッセージ（例えば、ＲＲＣ接続再構成メッセージ）を受信すれば、ＵＥのＲＲＣ層はＳＮ解除完了メッセージ（例えば、ＲＲＣ接続再構成完了メッセージ）を分離ＳＲＢのＳＣＧ送信を通じてＵＥの下位層（例えば、ＰＤＣＰまたはＲＬＣ層）に送り、ＵＥ側で分離ＳＲＢのＳＣＧ送信を解除または中断することができる。分離ＳＲＢのＳＣＧ送信が中断される場合、ＵＥはＳＮ解除完了メッセージの送信の以後、分離ＳＲＢのＳＣＧ送信を解除することができる。
【０１６６】
ＳＮ解除手続で、本発明の更に他の実施形態によれば、ＵＥのＲＲＣ層がＳＮ解除メッセージ（例えば、ＲＲＣ接続再構成メッセージ）を受信すれば、ＵＥのＲＲＣ層はＵＥ側でＳＣＧ  ＳＲＢを解除または中断し、ＳＮ解除完了メッセージ（例えば、ＲＲＣ接続再構成完了メッセージ）をＭＣＧ  ＳＲＢ上に、または分離ＳＲＢのＭＣＧ送信を通じてＵＥの下位層（例えば、ＰＤＣＰまたはＲＬＣ層）に送ることができる。ＳＣＧ  ＳＲＢが中断される場合、ＵＥはＳＮ解除完了メッセージの送信の以後、ＳＣＧ  ＳＲＢを解除することができる。
【０１６７】
ＳＮ解除手続で、本発明の更に他の実施形態によれば、ＵＥのＲＲＣ層がＳＮ解除メッセージ（例えば、ＲＲＣ接続再構成メッセージ）を受信すれば、ＵＥのＲＲＣ層はＵＥ側で分離ＳＲＢのＳＣＧ送信を解除または中断し、ＳＮ解除完了メッセージ（例えば、ＲＲＣ接続再構成完了メッセージ）を分離ＳＲＢのＭＣＧ送信を通じてＵＥの下位層（例えば、ＰＤＣＰまたはＲＬＣ層）に送ることができる。分離ＳＲＢのＳＣＧ送信が中断される場合、ＵＥはＳＮ解除完了メッセージの送信の以後、分離ＳＲＢのＳＣＧ送信を解除することができる。
【０１６８】
分離ＳＲＢ（パケット複製と共に、またはパケット複製無しで）を構成しながらＳＮを付加するＲＲＣ接続再構成メッセージを受信したＵＥは、ＲＲＣ接続再構成完了メッセージをＭＣＧ  ＳＲＢ上に送信した後に下位層に分離ＳＲＢを構成することができる（構成された場合、パケット複製と共に）。即ち、分離ＳＲＢはＳＮ付加手続の以後にのみ使われることができる。または、ＳＮを付加するＲＲＣ接続再構成メッセージが分離ＳＲＢ（パケット複製と共に、またはパケット複製無しで）を構成すれば、ＵＥはＲＲＣ接続再構成メッセージに含まれた構成によってＲＲＣ接続再構成完了メッセージを分離ＳＲＢ上にＭＮのみに、またはＳＮのみに、またはＭＮ／ＳＮ全てに送信することができる。
【０１６９】
一方、ＮＲのハンドオーバ命令メッセージは少なくともセルＩＤ及びターゲットセルに接続するために要求される全ての情報を含むことができる。これによって、ＵＥはシステム情報を読まなくてもターゲットセルに接続することができる。特定の場合、ハンドオーバ命令メッセージは競争基盤または競争のないランダムアクセス手続のために要求される情報を含むことができる。前記ランダムアクセス手続のために要求される情報は、ビーム特定情報を含むことができる。このような観点で、ＳＮを付加するＲＲＣ接続再構成メッセージは、競争基盤または競争のないランダムアクセス手続のために要求される情報を含むことができる。ＳＮがｇＮＢである場合、前記ランダムアクセス手続のために要求される情報はビーム特定情報を含むことができる。ＳＮはＳＣＧ−Ｃｏｎｆｉｇを通じて前記ランダムアクセス手続のために要求される情報をＭＮに提供することができる。
【０１７０】
また、ＮＲでＳＮ解除手続はＭＮまたはＳＮによりトリガーできる。ＳＣＧ  ＳＲＢが構成できるので、ＳＮはＳＮ解除をＳＣＧ  ＳＲＢ上にＵＥに知らせることができる。しかしながら、ＵＥがＳＮを解除すれば、これ以上ＳＮに応答できない。したがって、ＳＮ解除手続は従来のＬＴＥでのＳｅＮＢ解除手続と類似するように遂行できる。即ち、ＭＮにより開始されるＳＮ解除手続またはＳＮにより開始されるＳＮ解除手続に対して、ＭＮはＲＲＣ接続再構成メッセージを通じてＳＣＧの構成全体の解除をＵＥに指示することができる。ＲＲＣ接続再構成メッセージはＭＣＧ  ＳＲＢ上に送信できる。または、ＲＲＣ接続再構成メッセージはＵＥが分離ＳＲＢを解除する前に分離ＳＲＢ上に送信できる。
【０１７１】
また、ＳＣＧを解除するＲＲＣ接続再構成メッセージを受信したＵＥは、ＳＣＧの構成の全体を解除しなければならない。したがって、ＵＥはＳＣＧ上にＲＲＣ接続再構成完了メッセージを送信できない。ＵＥは従来のＵＥのようにＲＲＣ接続再構成完了メッセージをＭＮに送信しなければならない。仮に、分離ＳＲＢが構成されれば、ＳＣＧを解除するＲＲＣ接続再構成メッセージを受信したＵＥは分離ＳＲＢをＭＣＧ  ＳＲＢに変更しなければならない。したがって、ＵＥはＲＲＣ接続再構成完了メッセージをＭＣＧ  ＳＲＢ上に送信することができる。または、ＳＣＧを解除するＲＲＣ接続再構成メッセージを受信したＵＥは分離ＳＲＢのＳＣＧ送信を中断することができる。
【０１７２】
４．実施形態４
【０１７３】
ＬＴＥでＲＬＦ（ｒａｄｉｏ  ｌｉｎｋ  ｆａｉｌｕｒｅ）が検出されれば、ＵＥはＲＲＣ接続再確立（ｒｅ−ｅｓｔａｂｌｉｓｈｍｅｎｔ）手続を開始する。ＲＲＣ接続再確立手続がトリガーされれば、ＵＥはセル選択を遂行し、選択されたセルに接続し、ＲＲＣ接続再構成の以後、データ送信を再開する。このようなＲＲＣ接続再確立手続は比較的時間がかかり、その間ＵＥはネットワークと通信できない。従来のＲＲＣ接続再確立手続でＵＥはＳＲＢ０を除外した全てのＲＢを中断し、したがってＵＥとネットワークはＲＲＣ接続再確立手続が成功裏に完了するまでユーザパケットを送信できない。
【０１７４】
これによって、本発明の実施形態４は分離ＳＲＢ及び／又はＳＣＧ  ＳＲＢを使用してＲＲＣ接続再確立手続を向上させる方法を提案する。ＲＲＣ接続再確立手続の間にも分離ＳＲＢ及び／又はＳＣＧ  ＳＲＢは接続品質の良い状態にありうる。したがって、ＵＥはＭＣＧ上の新しいＰＣｅｌｌ（ｐｒｉｍａｒｙ  ｃｅｌｌ）のためのＲＲＣ接続再確立を遂行しながらも、ＳＣＧ上のＳＲＢ／ＤＲＢを維持することができる。
【０１７５】
図１２は、本発明の一実施形態に従うＲＲＣ接続再確立手続を示す。図１２は、ＲＬＦが発生する時、ＲＲＣ接続が分離ＳＲＢ上にどのように維持されるかの一例を示す。
【０１７６】
ステップＳ１２０２で、ＵＥと以前のＭＣＧセルの間にＲＲＣ接続が確立される。ＵＥはＳＲＢ１を設定することができる。ステップＳ１２０４で、ＵＥとＳＣＧセルとの間にＳＣＧ接続が確立される。ＳＣＧ接続確立中に、ＭＮはＵＥのために分離ＳＲＢ及び／又はＳＣＧ  ＳＲＢを構成することができる。
【０１７７】
ステップＳ１２０６で、ＲＬＦが発生する。または、ハンドオーバ失敗または再構成失敗が発生することもできる。これによって、ＵＥは従うＲＲＣ接続再確立手続をトリガーする。
【０１７８】
分離ＳＲＢ（即ち、分離ＳＲＢのＭＣＧ送信及び／又は分離ＳＲＢのＳＣＧ送信）が構成された場合、ステップＳ１２０８でＵＥは分離ＳＲＢのＳＣＧ送信を中断せずに維持することができる。しかしながら、ＵＥはＲＲＣ接続再確立手続で分離ＳＲＢのＭＣＧ送信は中断することができる。または、ＵＥは分離ＳＲＢを中断せず、単にＲＲＣ接続再確立手続で分離ＳＲＢのＳＣＧ送信のみを選択することができる。この際、ＵＥのＲＲＣ層は分離ＳＲＢのＳＣＧ送信のみを選択したことを対応する分離ＳＲＢのためにＵＥのＰＤＣＰ層に知らせることができる。
【０１７９】
また、ＳＣＧ  ＳＲＢが構成された場合、ＵＥはＲＲＣ接続再確立手続でＳＣＧ  ＳＲＢを中断せずに維持することができる。
【０１８０】
ステップＳ１２１０で、ＵＥと新しいＭＣＧセルとの間にＲＲＣ接続が再確立される。
【０１８１】
ＲＲＣ接続再確立（ＲＲＣＣｏｎｎｅｃｔｉｏｎＲｅｅｓｔａｂｌｉｓｈｍｅｎｔ）メッセージを受信したＵＥは、ステップＳ１２１２でＳＲＢ１及び構成された場合、全ての分離ＳＲＢのＭＣＧ送信を再開することができる。または、分離ＳＲＢが構成された場合、ＲＲＣ接続再確立メッセージを受信したＵＥは分離ＳＲＢのＭＣＧ送信のみを選択することができる。この際、ＵＥのＲＲＣ層は分離ＳＲＢのＭＣＧ送信のみを選択したことを対応する分離ＳＲＢのためにＵＥのＰＤＣＰ層に知らせることができる。
【０１８２】
また、ＲＲＣ接続再確立要求（ＲＲＣＣｏｎｎｅｃｔｉｏｎＲｅｅｓｔａｂｌｉｓｈｍｅｎｔＲｅｑｕｅｓｔ）メッセージの送信の以後、ＲＲＣ接続再確立メッセージの受信の以後、ＲＲＣ接続再確立完了（ＲＲＣＣｏｎｎｅｃｔｉｏｎＲｅｅｓｔａｂｌｉｓｈｍｅｎｔＣｏｍｐｌｅｔｅ）メッセージの送信の以後、またはＲＲＣ接続再確立手続の完了の以後、ＵＥは全てのＳＣＧ  ＳＲＢ／ＤＲＢ及び構成された場合、全ての分離ＳＲＢ／ＤＲＢのＳＣＧ送信を中断することができる。
【０１８３】
以上の説明を総合すると、ＲＬＦが検出されればＵＥはＲＲＣ接続再確立手続を開始し、ＲＲＣ接続再確立手続で分離ＳＲＢ及び／又はＳＣＧ  ＳＲＢが構成されれば、ＵＥは分離ＳＲＢのＭＣＧ送信を中断するが、分離ＳＲＢのＳＣＧ送信及び／又はＳＣＧ  ＳＲＢは中断しない。したがって、ＵＥはＲＲＣ接続再確立手続中に分離ＳＲＢのＳＣＧ送信及び／又はＳＣＧ  ＳＲＢを通じてＲＲＣ接続を維持することができる。または、分離ＳＲＢが構成された場合、ＵＥは分離ＳＲＢを中断せず、ＲＲＣ接続再確立手続で分離ＳＲＢのＳＣＧ送信のみを選択することができる。したがって、ＵＥは分離ＳＲＢのＭＣＧ送信を通じて送信を遂行しないことがある。
【０１８４】
このように、分離ＳＲＢ及び／又はＳＣＧ  ＳＲＢを使用する動作の長所は、測定報告のようなＲＲＣメッセージがＲＲＣ接続再確立手続中にもＳＣＧ上に相変らず送信できるということである。また、この際、ＲＲＣ接続は、例えば数百ｍｓの間生きているので、分離ＤＲＢのＳＣＧ送信がＲＲＣ接続再確立手続でユーザパケットを送信するために使われることができる。したがって、ＵＥは全ての分離ＤＲＢのＳＣＧ送信及び／又は全てのＳＣＧ  ＤＲＢを中断する必要がない。
【０１８５】
また、従来のＬＴＥでＲＲＣ接続再確立手続が開始されれば、ＵＥはＤＲＢの構成を除外した構成された全てのＳＣＧの構成を解除した。しかしながら、前述した本発明の一実施形態によれば、ＵＥはＲＲＣ接続再確立手続中に全てのＳＣＧの構成を解除する必要がない。
【０１８６】
また、従来のＬＴＥでＲＬＦが発生すれば、ＵＥはセルを選択し、選択されたセルで再確立を遂行する。このような動作はＳＲＢがＳＣＧ上で維持されるとしても相変らず必要でありうる。ＵＥが良い接続品質を有するＰｃｅｌｌに接続する必要があるためである。したがって、ＲＲＣ接続再確立手続で、ＵＥはＭＣＧのＰｃｅｌｌのためのセルを選択し、選択されたセルにＲＲＣ接続再確立要求メッセージを送信することができる。
【０１８７】
また、従来のＬＴＥでＵＥが選択されたセルからＲＲＣ接続再確立メッセージを受信すれば、ＵＥはＳＲＢ１を再開する。ＬＴＥ  ｒｅｌ−１５で、ＵＥがＲＲＣ接続再確立メッセージを受信すれば、ＭＣＧ  ＳＲＢを再開しなければならないことは明確である。即ち、ＲＲＣ接続再確立メッセージを受信したＵＥはＳＲＢ１及び構成された場合、全ての分離ＳＲＢのＭＣＧ送信を再開することができる。または、分離ＳＲＢが構成された場合、ＲＲＣ接続再確立メッセージを受信したＵＥは分離ＳＲＢのＭＣＧ送信のみを選択することができる。しかしながら、ＵＥがＲＲＣ接続再確立メッセージを受信した以後にもＳＣＧ  ＳＲＢ及び／又は分離ＳＲＢを使用することができるか否かは不明確である。
【０１８８】
これに対し、ｅＮＢ／ｇＮＢの決定によって、ＵＥはＲＲＣ接続再確立及び／又はＲＲＣ接続再構成の以後にＳＣＧリソースを続けて使用／再構成／解除することができる。したがって、ＲＲＣ接続再確立メッセージを受信したＵＥはＳＣＧ  ＳＲＢ及び／又は構成された場合、分離ＳＲＢのＳＣＧ送信を中断することができる。ＲＲＣ接続再確立の以後、ターゲットＭＮはＳＣＧ  ＳＲＢ及び／又は分離ＳＲＢのＳＣＧ送信を再開／再構成／解除することができる。または、ＲＲＣ接続再確立メッセージを受信したＵＥは、ＳＣＧ  ＳＲＢ及び／又は構成された場合、分離ＳＲＢのＳＣＧ送信を解除することができる。ＳＣＧ  ＤＲＢ及び／又は分離ＤＲＢのＳＣＧ送信は、同一な方式により処理できる。
【０１８９】
図１３は、本発明の実施形態が具現化される無線通信システムを示す。
【０１９０】
ＵＥ１３００は、プロセッサ（ｐｒｏｃｅｓｓｏｒ）１３１０、メモリ（ｍｅｍｏｒｙ）１３２０、及び送受信部１３３０を含む。メモリ１３２０はプロセッサ１３１０と接続されて、プロセッサ１３１０を駆動するための多様な情報を格納する。送受信部１３３０はプロセッサ１３１０と接続されて、ネットワークノード１４００に無線信号を送信するか、またはネットワークノード１４００から無線信号を受信する。
【０１９１】
プロセッサ１３１０は、本明細書で説明された機能、過程、及び／又は方法を具現化するように構成できる。より具体的に、プロセッサ１３１０は図９でステップＳ９０２及び／又はステップＳ９０４を遂行するように送受信部１３３０を制御することができる。プロセッサ１３１０は、図１０でステップＳ１００６、ステップＳ１００８、ステップＳ１０１０、及びステップＳ１０１２を遂行するように送受信部１３３０を制御することができる。プロセッサ１３１０は、図１１でステップＳ１１０６及びステップＳ１１０８を遂行するように送受信部１３３０を制御することができる。
【０１９２】
ネットワークノード１４００は、プロセッサ１４１０、メモリ１４２０、及び送受信部１４３０を含む。ネットワークノード１４００は、ｅＮＢ、ｇＮＢ、ｎｇ−ｅＮＢ、ｅｎ−ｇＮＢのうち、いずれか一つでありうる。ネットワークノード１４００は前述したＭＮまたはＳＮのうち、いずれか一つでありうる。メモリ１４２０はプロセッサ１４１０と接続されて、プロセッサ１４１０を駆動するための多様な情報を格納する。送受信部１４３０はプロセッサ１４１０と接続されて、ＵＥ１２００で無線信号を送信するか、またはＵＥ１２００から無線信号を受信する。
【０１９３】
プロセッサ１３１０、１４１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリ１３２０、１４２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。送受信部１３３０、１４３０は無線周波数信号を処理するためのベースバンド回路を含むことができる。実施形態がソフトウェアで具現化される時、前述した技法は前述した機能を遂行するモジュール（過程、機能など）で具現化できる。モジュールはメモリ１３２０、１４２０に格納され、プロセッサ１３１０、１４１０により実行できる。メモリ１３２０、１４２０は、プロセッサ１３１０、１４１０の内部または外部にあることができ、よく知られた多様な手段によりプロセッサ１３１０、１４１０と接続できる。
【０１９４】
図１４は、図１３で図示されたＵＥのプロセッサを示す。ＲＲＣ層１３１１、ＰＤＣＰ層１３１２、ＲＬＣ層１３１３、ＭＡＣ層１３１４、物理層１３１５は、プロセッサ１３１０により具現化できる。ＲＲＣ層１３１１は、プロセッサ１３１０の機能、過程及び／又は方法を具現化するように構成できる。
【０１９５】
図１５は、図１３で図示されたネットワークノードのプロセッサを示す。ＲＲＣ層１４１１、ＰＤＣＰ層１４１２、ＲＬＣ層１４１３、ＭＡＣ層１４１４、及び物理層１４１５は、プロセッサ１４１０により具現化できる。ＲＲＣ層１４１１はプロセッサ１４１０の機能、過程及び／又は方法を具現化するように構成できる。
【０１９６】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、異なるステップと、前述と異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図１】
2020511889.tif 000003
【図２】
2020511889.tif 000004
【図３】
2020511889.tif 000005
【図４】
2020511889.tif 000006
【図５】
2020511889.tif 000007
【図６】
2020511889.tif 000008
【図７】
2020511889.tif 000009
【図８】
2020511889.tif 000010
【図９】
2020511889.tif 000011
【図１０】
2020511889.tif 000012
【図１１】
2020511889.tif 000013
【図１２】
2020511889.tif 000014
【図１３】
2020511889.tif 000015
【図１４】
2020511889.tif 000016
【図１５】
2020511889.tif 000017
【国際調査報告】
2020511889.tif 000018
2020511889.tif 000019
2020511889.tif 000020
2020511889.tif 000021